(57)【要約】【目的】本発明は、衣類留め手段によって留められた少なくとも一つの閉合を有し、閉合と連結した少なくとも一つの手段を用いて留め手段を開放することを特徴とする衣類に関するものである。【構成】  オペレーターが出した遠隔コマンドに対応し、衣類の閉合を自動的に開放する遠隔制御によって人から衣類を脱がせるシステム。コマンドは、オペレーターの音声と、遠隔脱衣手段が出したワイヤレスコマンドを含む。テレビのリモコンは、好ましくは脱衣コマンドを出すために使用できる。衣類の閉合に対する内部手段は、自動閉合を開く方法を変更できる。留め合わされた衣類の開放はまた、システムを身に付けている人のＧＰＳ座標と、運試しのゲーム、パーティーおよびダンス、音楽およびビデオでの楽しさを増すための自動脱衣機能を備えた衣類の着用者たちに出されたコマンドによっても操作できる。化学光手段を衣類に組み込み、好ましくは遠隔制御によって自動的に光るようにすることができる。
2005531344.tif 000002
【特許請求の範囲】
【請求項１】
衣類留め手段によって留められた少なくとも一つの閉合を有し、前記閉合と連結した少なくとも一つの手段を用いて前記留め手段を開放することを特徴とする衣類。
【請求項２】
ランジェリー、水着、ジャケット、上着、ワンピース、スカート、イブニングウェアの少なくとも１種から成ることを特徴とする、請求項１記載の衣類。
【請求項３】
モデルから少なくとも１枚の衣類を脱がせる自動手段を用いる方法。
【請求項４】
少なくとも一つの遠隔信号に対応して、モデルから少なくとも１枚の衣類を脱がせることを容易にする方法。
【請求項５】
自動手段によって開くように操作される衣類の閉合。
【請求項６】
遠隔手段によって開くように操作される衣類の閉合。
【請求項７】
遠隔手段から衣類の着用者に送られる少なくとも一つのコマンドを出し、前記衣類の一部を脱がせる方法のステップ。
【請求項８】
モデルの着用する少なくとも１枚の衣類に関し、少なくとも一つの閉合を操作して、少なくとも衣類の一部を開くための情報の転送、および／または情報の転送を促進する遠隔装置。
【請求項９】
モデルから衣類を脱がせることを容易にする遠隔装置。
【発明の詳細な説明】
【技術分野】
【０００１】
本発明は、遠隔制御手段に対応して自動的に脱衣する衣類に関するものである。
【背景技術】
【０００２】
アリソン・グリーンが申請した米国特許出願番号２００２００４２９３７の『錠で閉める衣類と、衣類を閉じ合わせるシステムおよび方法（Ｇａｒｍｅｎｔ  ｓｅｃｕｒｅｄ  ｂｙ  ｌｏｃｋ  ａｎｄ  ｇａｒｍｅｎｔ  ｃｌｏｓｕｒｅ  ｓｙｓｔｅｍ  ａｎｄ  ｍｅｔｈｏｄ）』は、本書の参考資料に全文が掲載されている。本発明の少なくとも一部が、好ましくは、グリーンの申請した方法、手段、装置、デザイン、図解の少なくとも一部に適用できる。
【発明の開示】
【発明が解決しようとする課題】
【０００３】
解決しようとする問題点は、モデル（例えば人間）から衣類を自動的に取り外したり、取り外すことを助けることが困難であった点である。
【課題を解決するための手段】
【０００４】
本発明は、自動手段を用いてモデル（例えば人間）から衣類を取り外す、および／または取り外したりするのを助けるという非限定的な目的と手段に対応することを目的としている。自動手段は、好ましくは電子的および／または機械的手段を含む。前記の取り外しは、好ましくは、非限定的な実施例（ＮＬＥ）に挙げるような、ａ）遠隔手段、および／またはｂ）時間手段、および／またはｃ）事象タイプおよび／または事象の頻度手段のうち少なくとも一つに影響される。
【０００５】
人が音声コマンドおよび／またはその他の遠隔手段によってパートナーの衣類（例えば、ブラジャーおよび／またはパンティーおよび／またはドレス）の少なくとも一部をほどいたり、および／または脱がせ落としたりできる手段から、明らかな新規性が期待される。前記その他の遠隔手段は、ＮＬＥとして、好ましくはａ）マイクロプロセッサ手段、および／またはｂ）高周波および／または（赤外線を含む）視覚的信号の出力手段を含み、前記信号は好ましくは少なくとも１枚以上の衣類に連結した自動手段を作動する。
【０００６】
本発明の手段は、好ましくは新規性に限定されず、また好ましくは少なくとも一部に実用化の可能性を有する。
【０００７】
本発明の手段は、好ましくは衣類への適用に留まらず、好ましくは本発明で説明される手段の少なくとも一部を用いたその他の手段に適用できる。ＮＬＥとしては、ネームタグ（例えば会議場で使用されるもの）の少なくとも一部の自動化および／または遠隔制御された発光である。該発光とは、好ましくは化学的および／または電気的発光手段（例えば発光ダイオード）である。前記ネームタグは好ましくは衣類の少なくとも一部と対をなすことができる。さらに前記ネームタグは、好ましくは、本書で後述されるような少なくとも一つの装飾手段に一部を組み込むことができる。
【発明の効果】
【０００８】
本発明は、遠隔制御手段に対応して自動的に脱衣する衣類などを実現した。
【実施例】
【０００９】
本発明の非限定的な目的は、ＮＬＥとして好ましくは以下のうち少なくとも一つを含む
衣類に関する。すなわち、ランジェリー、ブラジャー、女性用パンティー、男性用パンツ、水着、パンティーストッキング、ワンピース、スカート、キルト、ズボン、ブラウス、ソックス、ネクタイ／クラバット、セーター、ベルト、手袋、サスペンダー（例えば女性用のストッキングのガーター、男性用のズボン吊り）、ドレスである。
【００１０】
本発明の手段は、好ましくはその他のファッション用品に少なくとも一部を適用できる。そのＮＬＥとしては、好ましくは靴、サンダル、時計、ジュエリー、ハンドバッグのうち少なくとも一つが含まれる。本書において「衣類」は、好ましくは「その他のファッション用品」と言い換えられてもよい。
【００１１】
本書における用語「モデル」の使用には、好ましくは、衣類を身につけさせたり、着させたり、脱がせたりすることができる単数あるいは複数の人間、動物、マネキン、ロボットが含まれる。
【００１２】
本書では、「非限定的な例」は「ＮＬＥ」と言い換えられる。
従来の技術による衣服は大抵の場合、ａ）衣類の少なくとも一部とその衣類および／またはその他の衣類の少なくとも一部と留め手段を用いて閉じ合わせる（好ましくは可逆的に）手段、（前記衣類留め手段のＮＬＥは、ＧＣＭとも称され、好ましくはクリップ、留め金、ボタン、鍵で留める手段（例えば貞操帯、皮革衣料）、ファスナー、蝶ネクタイ、錠、結び目、対になったマグネット、スナップボタン、ピン、レース、ベルト、バックル、ベルクロ、リボンの少なくとも一つを含む）、および／またはｂ）衣類のデザイン（ＮＬＥとして、衣類は、接続手段なしに着脱可能なように裁断されていてもよく（例えば頭から着脱する貫頭衣のような衣服）、また衣類には、下着のウェスト部のゴムのように、本プロセスを補助する手段が含まれてもよい）。
【００１３】
留め手段の逆転（例えば少なくとも一つのボタンをはずす）には通常、留め手段に対する物理的な操作を要する。前記逆転はまた、閉合の接続解除、または開放と称される。脱衣には通常、衣類の着用者および／または第三者が、前記の衣類の留め手段を物理的に操作することが必要である。従来の技術には通常、前記衣類の脱衣を容易にするため、衣類および／または衣類に組み込まれた手段の物理的操作を要する。
【００１４】
衣服留め手段（ＧＣＭ）は、好ましくはａ）機能的役割（該機能的役割のＮＬＥとしては好ましくはｉ）ズボンのファスナー、ｉｉ）シャツのボタン、ｉｉｉ）ブラジャーのストラップの留め金の少なくとも一つが含まれる）および／またはｂ）新規な役割（該新規な役割のＮＬＥとしては、好ましくはｉ）少なくともブラジャーに覆われている皮膚を露出させるために、前記ブラジャーの一部から外す、および／または取り除くことができるブラジャーのカップの一部および／またはその他の手段、ｉｉ）少なくともパンツに覆われている身体部分を露出させるために、前記パンツの一部から外す、および／または取り除くことができるパンツの前部および／または後部および／またはその他の手段、ｉｉｉ）前記衣服をモデルから一部またはすべて取り除くことを容易にするために、前記衣服の機能に通常必要とされるその他のＧＣＭ、ｉｖ）あらゆる新規性に用いられるＧＣＭおよび／またはその他の手段が含まれる）の役割を提供する。
【００１５】
非限定的な目的として、本発明は好ましくは衣類の着用、具体的には脱衣方法に、遠隔および／または自動手段によって前記衣類の少なくとも一部を取り除き、および／または留め手段を開放する、という点で冒険的かつ刺激的な選択肢を提供するものである。
【００１６】
前記遠隔手段のＮＬＥは、好ましくは少なくとも以下の一つを含む。
１．音声手段（このＮＬＥとしては、好ましくはａ）人の言葉および／または歌、および／またはｂ）音楽、および／またはｃ）笛、および／またはｄ）動物の鳴き声、および
／またはｅ）機械の発する音、および／またはｆ）電話のベル、および／またはｇ）可聴周波発信音が含まれてもよい）。
【００１７】
２．視覚手段（そのＮＬＥとしては、好ましくは、ａ）少なくとも人体の一部、ｂ）顔、および／またはｃ）胸部、および／またはｄ）人の生殖器官（生殖器官は好ましくは興奮状態にあってもよい）のうち少なくとも一つが含まれる）。
【００１８】
ＮＬＥとして、前記音声および／または画像手段は、好ましくはａ）生物による手段（例えば、人の声や歌、犬の鳴き声）、および／またはｂ）電子的に生成された手段、および／またはｃ）マイクロフォン手段、および／またはｄ）スピーカー手段、および／またはｅ）表示手段、および／またはｆ）画像記録手段、および／またはｇ）ＣＤのディスク、ＤＶＤ、テープ、メモリ記憶手段、ビデオテープ（前記記憶手段は好ましくは少なくともｉ）フラッシュメモリ、および／またはｉｉ）スタティックＲＡＭ（好ましくはバッテリーを搭載したもの）、および／またはｉｉｉ）ダイナミックＲＡＭ（好ましくはバッテリーを搭載したもの）、および／またはｉｖ）ＥＥＰＲＯＭ、および／またはｖ）ハードディスクを含んでもよい）、および／またはｈ）電話による実行、および／またはｉ）広域ネットワーク（ＷＡＮ）による実行（そのＮＬＥは好ましくはインターネットを含む）、および／またはｊ）イントラネットによる実行、および／またはｋ）放送手段による実行（そのＮＬＥは好ましくはｉ）テレビ、および／またはｉｉ）ラジオ、および／またはｉｉｉ）ケーブル（ＮＬＥとして好ましくは光ファイバーおよび／または同軸ケーブルを含む）、および／またはｉｖ）衛星のうち少なくとも一つを含んでいてもよい）が含まれていてもよい。
【００１９】
音声手段は、少なくともその一部が、好ましくはａ）自然のフォーマット（例えば、空気のような伝導性の媒体を介する音波）で、またｂ）前記音波がターゲット手段に到達する前、好ましくは少なくともその一部が、第二次フォーマットに変換される（ＮＬＥとして好ましくはｉ）ワイヤレス（ＮＬＥとして好ましくは光および／または赤外線および／または高周波の伝送を含む）および／またはｉｉ）通信回線への接続（ＮＬＥとして好ましくは導体および／または光ファイバーを含む）ような方法でターゲット手段に到達してもよいが、これらに限定されない。前記第二次フォーマットは好ましくはａ）アナログおよび／またはデジタルのフォーマットを含み、および／またはｂ）好ましくは少なくともその一部が記号化および／または暗号化される。
【００２０】
画像手段は、少なくともその一部が、好ましくはａ）自然のフォーマット（例えば、空気のような伝導性の媒体を介する光波）で、またｂ）前記光波がターゲット手段に到達する前、好ましくは少なくともその一部が、第二次フォーマットに変換される（ＮＬＥとして好ましくはｉ）ワイヤレス（ＮＬＥとして好ましくは光および／または赤外線および／または高周波の伝送を含む）および／またはｉｉ）通信回線への接続（ＮＬＥとして好ましくは導体および／または光ファイバーを含む）ような方法でターゲット手段に到達してもよいが、これらに限定されない。前記第二次フォーマットは好ましくはａ）アナログおよび／またはデジタルフォーマットを含み、および／またはｂ）好ましくは少なくともその一部が記号化および／または暗号化される。
【００２１】
音声および／または画像手段は、少なくともその一部が、好ましくはａ）ワイヤレス（ＮＬＥとして好ましくは光および／または赤外線および／または高周波の伝送を含む）および／またはｂ）通信回線への接続（ＮＬＥとして好ましくは導体および／または光ファイバーを含む）を介するがこれらに限定されない方法の少なくとも一つによる第二次フォーマットで直接ターゲット手段に到達してもよい。前記第二次フォーマットは好ましくはアナログおよび／またはデジタルフォーマットを含み、および／または好ましくは少なくともその一部が記号化および／または暗号化される。
【００２２】
３．好ましくは、アナログおよび／またはデジタルフォーマットで、好ましくはａ）ワイヤレス（ＮＬＥとしては可視光、マイクロ波、赤外線、高周波を含む）、および／またはｂ）通信回線への接続（ＮＬＥとしては光ファイバー、同軸ケーブル、導体を含む）を含むがこれらに限定されない方法のうち少なくとも一つを介して送られてもよいコマンドおよび／またはデータ手段。前記コマンドおよび／またはデータ手段は、好ましくは少なくとも一部が記号化および／または暗号化されてもよい。
【００２３】
遠隔手段からターゲット手段への情報の伝送は、少なくともその一部が前記遠隔手段に組み込まれた制御手段によって操作できると好ましい。この制御手段のＮＬＥは、時間および／または事象タイプおよび／または事象頻度の設定手段を含む。ＮＬＥとして、本書で後にＥＧＣＭとして記述される時間および／または事象タイプおよび／または事象頻度の設定手段はすべて、好ましくは少なくともその一部が制御手段として使用される。前記遠隔手段はパスワードによって保護されることが好ましい。
【００２４】
本発明の衣類留め手段は、好ましくはＧＣＭ、すなわちａ）前記ＧＣＭを取り外すのを容易にする自動手段、および／またはｂ）遠隔手段に対応した手段の少なくとも一つを含む、および／または連携する。機能の向上したこれらのＧＣＭは、強化型衣類留め手段（ＥＧＣＭ）と称される。
【００２５】
前記ＥＧＣＭは好ましくは完全に、および／または一部のみが開くように作られており、一部のみが開く時には、好ましくは少なくとも１回あたりに開く範囲が広くなる。少なくとも一つのＥＧＣＭが、前記遠隔手段の前記ターゲット手段のＮＬＥであることが好ましい。また少なくとも一つのＥＧＣＭが、本発明の自動手段の少なくとも一部と連携することが好ましい。前記自動手段が前記ＥＧＣＭの開放を容易にすることが好ましい。
【００２６】
好ましくは少なくとも一つのＥＧＣＭの手段の使用によって衣類がａ）完全に開いた、および／またはｂ）一部のみが開いた、と解釈され、一部のみが開く時には、好ましくは１回に開く範囲が広くなる。
【００２７】
衣類が、本発明および／または従来の技術および／またはその他の手段の少なくとも一部により、少なくとも一部を閉合できることが好ましい。
【００２８】
少なくとも一つのＥＧＣＭが少なくとも１枚の衣類に連結され、そのＥＧＣＭの少なくとも一つの開放手段が好ましくは、その衣類の少なくとも一部を少なくとも１人のモデルから、モデルおよび／または第三者の手を借りることなく取り外し、および／または脱がせることが好ましい。
【００２９】
少なくとも一つのＥＧＣＭが少なくとも１枚の衣類に連結され、そのＥＧＣＭの少なくとも一つの開放手段が好ましくは、その衣類の少なくとも一部の接続部分を、少なくとも１人のモデルから、モデルおよび／または第三者の手を借りることなく、少しでも開放することが好ましい。
【００３０】
本発明の好ましい非限定的な目的は、少なくとも留め手段の一部を、好ましくは遠隔手段および／または自動手段を使用して開放できる、強化型衣類留め手段（ＥＧＣＭ）を使用した衣服の留め手段と装置について記述することである。すなわち、衣服の閉合を開放し、および／または衣類を除去する自動手段および／または遠隔手段であり、これは好ましくは本発明の新しい特長の一つである。前記開放が、少なくとも１枚の衣類（例えば下着）の少なくとも一部を（好ましくは着衣中に）分解し、および／またはモデルから落とす、あるいはその操作に貢献することが好ましい。さらに、ＥＧＣＭを開く手動の解除手
段があることが好ましいので、本発明は好ましくは閉合を開放する「鍵」を必要としない。
【００３１】
本発明は好ましくは、前記ＥＧＣＭが錠の機能を持つ（例えば手動リリース手段がない）ように構築できるようにする。しかし、ＥＧＣＭは自動および／または遠隔プロセスに対応した衣服に連結する手段とみなすほうがよい。少なくとも一つのＥＧＣＭを錠として使用することは、本発明の非限定的な実施例の一つにすぎない。メカニカル・キー手段が、前記錠を開錠するために使用できると好ましい。
【００３２】
ＥＧＣＭの少なくとも一つが、接続を解除する機能を果たさないこと、および／または少なくともその他の少なくとも一つの機能を果たすこと、および／または閉合位置にないことが好ましい。
【００３３】
前記ＥＧＣＭが小型サイズであれば好ましい。また、普段着の邪魔になったり、および／または衣類の落下や快適性を妨げたりしないことが好ましい。
【００３４】
前記ＥＧＣＭが少なくとも一つの集積回路を備え、好ましくはカスタムデザイン（例えば特定目的向け集積回路（ＡＳＩＣ）、プログラマブル・ロジック、標準セル）で、および／またはマイクロプロセッサ手段であることが好ましい。
【００３５】
前記遠隔手段が少なくとも一つの集積回路を含み、好ましくはカスタムデザイン（例えば特定目的向け集積回路（ＡＳＩＣ）、プログラマブル・ロジック、標準セル）で、および／またはマイクロプロセッサ手段であることが好ましい。
【００３６】
前記ＥＧＣＭが、少なくとも一つの遠隔手段に対応して開くこと、少なくとも一つのＥＧＣＭが好ましくはａ）遠隔手段、および／またはｂ）前記ＥＧＣＭに連結され、および／または内蔵された手段に対応した開放手段を備えることが好ましい。
【００３７】
・ＮＬＥとして、好ましくは前記ＥＧＣＭに連結された少なくとも一つの時間設定手段に対応して、少なくとも一つのＥＧＣＭの少なくとも一部が開いてもよい。例えば、電子時計手段、好ましくは実時間時計および／またはカレンダー手段および／またはその他周期の計測手段が、少なくとも一つのＥＧＣＭを制御する、および／または信号を送信する、および／または少なくとも何らかの指示を出したりして、少なくとも一つのＥＧＣＭの少なくとも一部が開くようにできる。ａ）前記時間設定手段が、バッテリーや蓄電器のような電力手段を有すること、および／またはｂ）前記時間設定手段を更新する手段（例えば時刻や日の変更）があることが好ましい。
【００３８】
・ＮＬＥとして、好ましくは前記ＥＧＣＭに連結された少なくとも一つの事象記録手段に対応して、少なくともＥＧＣＭの一つの少なくとも一部が開いてもよい。
【００３９】
いつＥＧＣＭが開くべきか指示する少なくとも一つの起動手段とともに、前記ＥＧＣＭおよび／または前記ＥＧＣＭに連結した手段をプログラムする手段があるのが好ましい。ＮＬＥとして、前記起動手段は、好ましくは、ａ）前記ＥＧＣＭを開く少なくとも一つの時間設定が、好ましくは前記ＥＧＣＭに連結された手段にプログラムされた時間式起動手段、および／またはｂ）前記ＥＧＣＭの開放を容易にする、少なくとも一つの遠隔および／または内部の事象起動が、好ましくは前記ＥＧＣＭに連結された手段にプログラムされた事象式起動手段の少なくとも一つを備える。
【００４０】
前記遠隔手段は、好ましくはＥＧＣＭの少なくとも一つに直接的、間接的に作用してもよい。間接的手段のＮＬＥは、好ましくは、すなわちａ）最初の、改良された衣類接合手
段（ＥＧＬＭ）と前述したＥＧＣＭを制御し、次に、少なくとも２番目のＥＧＣＭの解除を制御する、および／またはｂ）少なくとも一つのＥＧＣＭを制御する手段を制御する機能の少なくとも一つを備えた前記遠隔手段である。
【００４１】
最初のＥＧＣＭの少なくとも一つが、２番目のＥＧＣＭの少なくとも一つと通信するために使用する手段は、好ましくはＮＬＥとして、少なくとも一つのＥＧＣＭと通信する遠隔手段として記述された少なくとも一つの手段を含むことが好ましい。
【００４２】
２番目のＥＧＣＭの少なくとも一つが、２番目のＥＧＣＭの少なくとも一つと通信するために使用する手段は、好ましくはＮＬＥとして、少なくとも一つのＥＧＣＭと通信する遠隔手段として記述された少なくとも一つの手段を含むことが好ましい。
【００４３】
少なくともａ）ＥＧＣＭ、および／またはｂ）遠隔手段によるＥＧＣＭ、および／またはｃ）自動手段によるＥＧＣＭ、の少なくとも一つを不正に開くのを制限し、および／または防止する保護手段があるのが好ましい。前記保護手段は、少なくとも一つのＥＧＣＭと連結することが好ましい。前記保護手段はパスワードを含むことが好ましい。
【００４４】
外部手段（ＮＬＥは、好ましくはａ）コマンド、および／またはｂ）制御、および／またはｃ）少なくとも一つのＥＧＣＭとデータをやりとりする手段を読み書きするための少なくとも一つのＰＣＣＭおよび／または遠隔手段（例えばＲＵＭ）を含む）への情報伝達手段がることが好ましい。前記外部手段は信号を少なくとも一つのＥＧＣＭに送って、前記伝達手段の起動を要求できることが好ましい。この起動要求は、手動手段および／または自動手段によってブロックできることが好ましい。このブロックは、好ましくは前記ＥＧＣＭおよび／または少なくとも一つのＰＣＣＭに連結された手段による。
【００４５】
本発明は、好ましくは少なくともその一部が、従来のＧＣＭの少なくとも一つに適用できる。このＧＣＭは、従来の技術、および／または自動・遠隔技術を使って開放できることが好ましい。好ましいＮＬＥは、ａ）１台のモーター（好ましくは小型のもの）が好ましくは自動および／または遠隔コマンドに対応してファスナーを上げ下げできる、および／またはｂ）好ましくは遠隔手段に対応し、磁気の除去手段で対になったマグネットをはずし、この磁気除去に伴い少なくとも一部を開放する磁石のペア、および／またはｃ）好ましくは遠隔手段に対応して、連結した部分の分離操作を起動する手段によって取り外されるスナップボタン、および／またはｄ）ボタンをｉ）従来のやり方ではずす、および／またはｉｉ）ＥＧＣＭの少なくとも一部をボタン手段に連結させ、および／または組み込み、衣類の一部がもう一方から分離する手段を使って、ボタンの少なくとも一部を別々にし、および／または変形する、の少なくとも一つを含む。
【００４６】
ＮＬＥとして、ａ）錠、および／またはｂ）ファクシミリおよび／または錠のレプリカ（ＮＬＥとしてグリーンの特許申請書に記述されているあらゆる錠を含む）、および／またはｃ）装飾手段と総称されるその他のあらゆる装飾手段および／または機能手段、は前記ＥＧＣＭに連結できる。この連結は、ａ）前記装飾手段を手動リリース手段に取り付ける、および／またはｂ）前記手動リリース手段を、前記装飾手段にあわせて設計する、および／またはｃ）前記ＥＧＣＭにあてはまる少なくとも一つの装飾手段、および／またはｄ）前記ＥＧＣＭに磁石で取り付けられた少なくとも一つの装飾手段であることが好ましい。少なくとも一つのＥＧＣＭの少なくとも一部が錠であることが好ましい。
【００４７】
ＮＬＥとして、前記装飾手段とＥＧＣＭの少なくとも一部に共通点があり、および／またはサイズが同比率であり、および／または機能を有するａ）手錠、および／またはｂ）南京錠、および／またはｃ）コンビネーション錠であることが好ましい。
【００４８】
ＮＬＥとして本発明により、好ましくは少なくとも１枚の衣類が、共通点を持ち、および／またはサイズが同比率であり、および／または機能を有するａ）手錠、および／またはｂ）南京錠、および／またはｃ）コンビネーション錠である、ＥＧＣＭとＧＣＭの少なくとも一つを含むことが好ましい。
【００４９】
メカニカル・キー手段（機能的であってもよい）は、好ましくは前記装飾手段に連結できる。
【００５０】
変化に富む装飾手段については、少なくとも一つのＥＧＣＭが、好ましくは製造および／または配送および／または販売および／または購買の後、外見を変えられることが好ましい。好ましくはモデルおよび／または第三者が、この変化を実行できる。前記外見を変化させる非限定的な手段は、好ましくはａ）最初の装飾手段および／または機能手段の対をはずし、２番目の装飾手段および／または機能手段を対にする、および／またはｂ）装飾手段および／または機能手段を付加する、および／またはｃ）装飾手段および／または機能手段を解除することを含む。
【００５１】
従来の技術は、最初の外見から２番目の外見へと、衣類接続手段の外見を変化させる手段を記述していない。だが、従来の技術に通じていれば、本発明の手段の少なくとも一部を適応させたり、使用したりできるはずである。それによって、好ましくは衣服接続手段の少なくとも一つの外見を変化させる手段がもたらされる。ＮＬＥとして、前記外見は少なくとも一つの錠に似ている。
【００５２】
衣類の発光手段については、ＥＧＣＭ（および／または前記ＥＧＣＭと連結された手段および／または前記ＥＧＣＭとインターフェースで接続された衣類の少なくとも１枚に連結された手段）の少なくとも一つの少なくとも一部が光ったり、光るように操作できたりすることが好ましい。この発光手段のＮＬＥは、好ましくはａ）闇の中の発光手段（例えば希土酸化物を使用）、および／またはｂ）化学光手段、および／またはｃ）電気による照明手段（例えば発光ダイオード（ＬＥＤ）、液晶ディスプレイ（ＬＣＤ）、白熱光、ＥＬディスプレイ、発光プラスチック）を含む。
【００５３】
前記発光は遠隔手段および／または自動手段の少なくとも一つにより、点けたり消したりできることが好ましい。この遠隔手段および／または自動手段は、好ましくは本発明で説明される手段の少なくとも一部を含む。
【００５４】
前記発光手段は、好ましくは前記装飾手段および／または本発明で説明されるその他の手段および／またはその他のあらゆる手段と少なくとも一部が連結できる。
【００５５】
前記発光手段が、ハート、誕生石、指輪、記念日のシンボル（例えば紙、真珠、金）、体の部位、挨拶、年齢、数字などの少なくとも一つの形や単語を表示できることが好ましい。前記発光手段は、少なくとも一色を発光できると好ましい。また、前記ＥＧＣＭや衣類の製造後、前記ＥＧＣＭおよび／または衣類と、少なくとも一部が連結できることが好ましい。前記装飾手段の範囲で、前記発光手段の少なくとも一部を含めることは、好ましくは製造後、前記連結を行う非限定的な方法を提供する。
【００５６】
衣類のオーディオ手段については、ａ）ＥＧＣＭ（および／または前記ＥＧＣＭと連結された手段、および／または前記ＥＧＣＭとインターフェースで接続されている少なくとも１枚の衣類と連結された手段）、および／またはｂ）ＰＣＣＭ、および／またはｃ）少なくとも一部音を発する、あるいは発するように作られたＲＵＭ、の少なくとも一つを備えることが好ましい。このオーディオ手段のＮＬＥとしては、好ましくはスピーカー手段および／または圧電手段が含まれる。
【００５７】
前記オーディオ手段は、少なくとも一つの遠隔手段および／または自動手段によって、音を発生し、および／または止めるように作られることが好ましい。前記遠隔手段および／または自動手段は、好ましくは、本発明で記述されている手段の少なくとも一部を含む。
【００５８】
前記オーディオ手段は、前記装飾手段および／または本発明で記述されるその他あらゆる手段および／またはその他の手段の少なくとも一部と連結できることが好ましい。
【００５９】
前記オーディオ手段が、前記ＥＧＣＭおよび／または前記ＥＧＣＭが製造された後の衣類および／または衣類、の少なくとも一部と連結することが好ましい。前記装飾手段の範囲で前記オーディオ手段の少なくとも一部を含めることにより、製造後、前記連結を行う非限定的な方法を提供することができる。
【００６０】
少なくとも一つのＥＧＣＭは、画像検出手段および／または画像記録手段および／または記録された画像情報の処理手段の少なくとも一つと連結する。前記画像検出手段のＮＬＥには、米国半導体相補型ＭＯＳ画像の少なくとも一つが含まれてもよい。前記画像検出手段および／または記録手段は、好ましくは装飾手段で記述された手段を用いて付加することができる。
【００６１】
本発明の手段は、映画および／またはテレビの制作、コマーシャル、屋内外での生のステージショーといった娯楽手段のＮＬＥのうち、少なくとも一つの少なくとも一部に使用できる。ＮＬＥとして、遠隔信号に対応して少なくとも一部が少しずつ取れていく衣類を着用したモデルは、映画、テレビ番組、コマーシャル、ファッションショー、ステージショーの少なくとも一つに、新規的で独創的、しかも楽しくて便利な手段を提供できる。
【００６２】
本発明の手段がパーティーやダンス（または似たような状況）の少なくとも一部に使用できることが好ましい。ＮＬＥとして、パーティーおよび／またはダンスの手段に、好ましくは、あらかじめ決定されたコードおよび／またはコードの無作為な連続が含まれ、少なくともパーティーやダンスが行われている間に、少なくとも一人のモデルが着用している衣類のＥＧＣＮを一気に、または順を追って解除することを含む。この解除は、好ましくは少なくとも一つのＥＧＣＭと連結された手段によって操作される。
【００６３】
本発明の非限定的な好ましい目的は、好ましくは遠隔地から提供された娯楽が、少なくとも衣類１枚の接続解除を操作するために使用する手段を含むことである。ＮＬＥとして、情報源ａ）ＣＤ、および／またはｂ）ビデオ、および／またはｃ）ＤＶＤ、および／またはｄ）テレビ、および／またはｅ）ケーブル、および／またはｆ）インターネット、の少なくとも一つからの音声および／またはビデオは、好ましくは少なくとも一つのＥＧＣＭを開く手段になりうる。
【００６４】
本発明の非限定的な好ましい目的は、インターネットが、好ましくはＥＧＣＭの接続を解除するのに使用できる手段を含む。ＮＬＥとして、インターネットの会議室および／またはＥメールおよび／またはウェブサイトが、少なくとも１ヶ所の少なくとも一つのＥＧＣＭに少なくとも一つの信号を送り、接続を解除できる。ＮＬＥとして、この信号は音声手段および／または画像手段を含むことができる。少なくとも一つのパーティーが画像記録手段と連結され、インターネットを通じて前記ＥＧＣＭの接続を解除した際の画像を送れると好ましい。
【００６５】
ａ）少なくとも１ヵ所で、少なくとも一つのＥＧＣＭおよび／または個人用衣類留め手段（ＰＣＣＭ）および／または遠隔脱衣手段（ＲＵＭ）を製造する、および／またはｂ）
少なくとも一つのＥＧＣＭと連結できる、および／または連結するように、少なくとも１枚の衣類を製造および／または改良する、および／またはｃ）少なくとも一つのＥＧＣＭに対して少なくとも１枚の衣類の少なくとも一部をインターフェースで接続する方法および／または処理および／または装置を備えることは、本発明の非限定的な好ましい目的である。
【００６６】
従来の技術で作られている衣類を本発明の手段に変換する手段を提供する方法を含めることは、本発明において非限定的な好ましい目的である。この変換方法は、好ましくは説明書を含む。また、好ましくは前記衣類を本発明の手段に接続する手段を含む。
【００６７】
少なくとも一つのゲームに少なくとも一つのＥＧＣＭの使用方法を含めることは、本発明の非限定的な好ましい目的である。このゲームは運や技量を競うゲームを含む。前記ゲームは、アルコール飲料を配る手段を含む。前記ゲームは、好ましくは本発明の手段を用いて、衣類の連続的な除去を含む。この除去は、好ましくは運や技量を競うさまざまなゲームに対応する。
【００６８】
ａ）ＥＧＣＭおよび／または遠隔手段、および／またはｂ）少なくとも一つのＥＧＣＭを含む衣類、および／またはｃ）少なくとも一つのＥＧＣＭとともに使用する衣類、および／またはｄ）遠隔制御によって開くことのできる衣類、および／またはｅ）衣類をＥＧＣＭと連結する手段（説明書を含む）、および／またはｆ）本発明の手段を用いて少なくとも１枚の衣類を実用化のために作り変える、および／またはｇ）衣類の少なくとも一部を少なくとも一つのＥＧＣＭとインターフェースで接続するための説明、および／またはｈ）本発明のあらゆる部分の使用に関する説明、および／またはｉ）本発明のあらゆる部分、これらのうち少なくとも一つを広告し、販売促進する方法および／またはプロセスを備えることは、本発明の非限定的な好ましい目的である。
【００６９】
ａ）ＥＧＣＭおよび／または遠隔手段および／またはＰＣＣＭ、および／またはｂ）少なくとも一つのＥＧＣＭを含む衣類、および／またはｃ）少なくとも一つのＥＧＣＭとともに使用する衣類、および／またはｄ）遠隔制御によって開くことのできる衣類、および／またはｅ）衣類をＥＧＣＭと連結する手段、および／またはｆ）本発明の手段を用いて少なくとも１枚の衣類を実用化のために作り変える、および／またはｇ）衣類の少なくとも一部を少なくとも一つのＥＧＣＭとインターフェースで接続するための指示、および／またはｈ）本発明の使用に関する説明、および／またはｉ）本発明の手段に関する指示、これらのうち少なくとも一つを最初の管轄地、場所から、少なくとも一つの２番目の管轄区地、場所に注文、販売（販売および／または雇用および／またはレンタルおよび／またはリースをＮＬＥとして含む）、輸出、輸入、移動するプロセスおよび／または方法を含めることは、本発明において非限定的な好ましい目的である。
【００７０】
ａ）ＥＧＣＭ、および／またはｂ）少なくとも一つのＥＧＣＭを含む衣類、および／またはｃ）少なくとも一つのＥＧＣＭとともに使用する衣類、および／またはｄ）遠隔制御によって開くことのできる衣類、および／またはｅ）ＥＧＣＭに衣類を連結する手段、および／またはｆ）本発明の手段とともに着用できる衣類、のうち少なくとも１枚を洗ったり、クリーニングしたり、プレスしたり、吊るしたり、保存するプロセスおよび／または方法を含めることは、本発明の非限定的な好ましい目的である。
【００７１】
本発明の手段を含む衣類を身に着けたり、着たり、脱いだりする方法を含めることは、本発明の非限定的な好ましい目的である。
【００７２】
本発明の手段を含む少なくとも１枚の衣類の着用を容易にするため、従来の技術による少なくとも一つの衣類留め手段および／または少なくとも一つのＥＧＣＭを閉じるプロセ
スおよび／または方法を含めることは、本発明の非限定的な好ましい目的である。
【００７３】
本発明の手段を含む少なくとも１枚の衣類の脱衣を容易にするため、従来の技術による少なくとも一つの衣類連結手段および／または少なくとも一つのＥＧＣＭを開放するプロセスおよび／または方法を含めることは、本発明の非限定的な好ましい目的である。
【００７４】
すでに説明されているように、本発明の非限定的な好ましい目的の一つは、さまざまな場所で衣類の着脱を容易にするＥＧＣＭを用いることである。これは、好ましくは機能手段および／または新規手段を含む。もう一つの本発明の非限定的な好ましい目的は、前記ＥＧＣＭが、衣類の構成部分を相互接続する機能としてより広範に使用できる手段を含めることである。ＮＬＥとして、衣類はａ）円形、四角形、長方形、楕円形、三角形、多角形、および／またはｂ）好ましくは少なくとも一つの幾何学図形と、少なくとも一つの軸に沿って対になっている他の少なくとも一つの幾何学図形、といった図形をＮＬＥとして含む複数の幾何学図形で構成できる。前記対とは、好ましくはＥＧＣＭで説明された手段の少なくとも一部を含む。例えば、前記幾何学図形で（少なくとも一部が）構成されたドレスは、自動手段および／または遠隔手段によって、一時に、または順を追って、対を解除できる。
【００７５】
複数の人が、ダンスフロアのように人が多く集まる場所に衣類の少なくとも一部を落とすことができる環境では、前記衣類の一部を所有者が取り戻す手段があることが好ましい。ａ）所有者の氏名および／または前記部分の認証表示の登録（例絵羽少なくとも一つのＥＧＣＭ内の電子ＩＤを電子的に読み取ることによる）、および／またはｂ）前記衣類部分の記憶装置に用いられる電子手段、および／またはｃ）前記衣類部分を返却する際の電子手段、に関する方法を含めることは、本発明の非限定的な好ましい目的である。
【００７６】
本発明の電子手段および／または機械手段を水や洗剤のような洗濯／クリーニングのプロセスから保護するための方法および／または装置を含めることは、本発明の非限定的な好ましい目的である。
【００７７】
少なくとも衣類の最初の部分が少なくとも２番目の部分からはずれるように操作する手段を記述することは、本発明において非限定的な好ましい目的である。前記操作は、少なくとも１人のモデルの緯度および／または経度および／または高度に依存する。この目的を達成する好ましい方法は、グローバル・ポジショニング・システム（ＧＰＳ）を少なくとも１人のモデルと連携させることである。これは、好ましくはＧＰＳ手段を、ＥＧＣＭおよび／または装飾手段および／または個人用衣類留め手段（ＰＣＣＭ）の少なくとも一つと、少なくとも一部を連携することによる。ＮＬＥは、Ｍａｘｉｍ  ＭＡＸ２７４０  Ｉｎｔｅｇｒａｔｅｄ  ＧＰＳ  Ｒｅｃｅｉｖｅｒ  ａｎｄ  Ｓｙｎｔｈｅｓｉｚｅｒの使用を含む。このデバイスのデータは、参考資料に入っている。少なくとも一つの地理座標が少なくとも一つの手段にプログラムされ、好ましくは少なくとも１人のモデル、そして好ましくは前記ＧＰＳ手段に連携されることが好ましい。前記ＧＰＳ手段が少なくとも一つの地理座標に達した際（好ましくは前記モデルの移動により）、ＥＧＣＭの少なくとも一つが開放されるよう作動することが好ましい。地理座標および／または前記ＧＰＳが受け取ったその他の情報が、少なくとも一つの手段、好ましくは装飾手段の少なくとも一つで表示できることが好ましい。ＮＬＥとして好ましくは、衣類が、受け取ったＧＰＳ情報の少なくとも一部を表示できる少なくとも一つのボタンを備える。
【００７８】
本発明の手段の少なくとも一部が、その他の手段に応用できることが好ましい。その他の手段は、好ましくは本発明の衣類手段に関連して操作できるよう作られている。ＮＬＥとしては、家具、照明、音響、テーブルウェア（例えばキャンドル）、アルコール飲料の販売・飲用、食品（例えばキャンディ、チョコレート）の販売・食用、金銭、貴重品を含
む。
【００７９】
本発明の好ましい実施形態：
好ましい実施形態の説明に関する最初の部分は、図１を参照する。
【００８０】
本発明はモデル（２５０）が着用する、あるいは着用できる少なくとも１枚の衣類の好ましくは少なくとも一部が、自動手段を含むプロセスによって開放できる少なくとも一つの留め手段によって前記モデルに着せ付けられている手段を記述する。この開放は、好ましくは少なくとも一つの遠隔コマンドに対応する。遠隔コマンドは、好ましくは少なくとも１人のオペレーター（２４９）から出される。オペレーター（２４９）は、好ましくは少なくとも１人の人間（例えばモデルと親しいパートナー）を含む。また、オペレーターは好ましくはモデル当人を含む。
【００８１】
本発明が適用される衣類および／またはモデルが着用可能な衣類の数は、好ましくは限定されない。ＮＬＥの現モデル（２５０）は、ブラジャー（２９０）とパンティー（２９１）を着用している。ブラジャー（２９０）は自動開放手段および／または遠隔からの開放コマンドへの対応手段と連結した留め手段（２５７）、（２６８）、（２７３）を備える。パンティー（２９１）は自動開放手段および／または遠隔からの開放コマンドへの対応手段と連結した留め手段（２５６）、（２６４）を含む。
【００８２】
自動開放手段および／または遠隔開放手段に対応する手段と連結している留め手段は、強化型衣類留め手段（ＥＧＣＭ）と称される。少なくとも１枚の衣類と連結できるＥＧＣＭの数は、好ましくは限定されない。
【００８３】
本発明の手段を少なくとも一部に使用した衣類はそれぞれ、ワイヤレス手段を通じて通信できる少なくとも一つのＥＧＣＭを含むことが好ましい。ワイヤレスは、好ましくは赤外線および／または高周波を用いた手段の少なくとも一つを含む。この種のＥＧＣＭは、マスターＥＧＣＭ（ＭＥＧＣＭ）と称される。ＭＥＧＣＭは、本体および／またはその他の連結されている手段に電力を供給する電力手段（例えばバッテリー）を含むことが好ましい。ブラジャー（２９０）と連結しているＥＧＣＭ（２５７）、パンティー（２９１）と連結しているＥＧＣＭ（２５６）は、ＭＥＧＣＭのＮＬＥである。
【００８４】
衣類は、電力および／または開放コマンドおよび／または少なくとも一つのＭＥＧＣＭから送られたその他の情報を受け取る少なくとも一つのＥＧＣＭと連結できることが好ましい。この種のＥＧＣＭはスレーブＥＧＣＭ（ＳＥＧＣＭ）と称される。電力および／または領域および／またはコマンドおよび／またはその他信号をＭＥＧＣＭからＳＥＧＣＭに送るには、通信回線に接続された導体を通じて行う手段が好ましい。導体は、好ましくは電気配線および／またはプリント回路を含む。プリント回路は、好ましくは柔軟なマイラー樹脂手段を含む。ＥＧＣＭ（２６８）、（２７３）、（２６４）はＳＥＧＣＭのＮＬＥである。前記導体の少なくとも一部が衣類の布に埋め込まれている、および／または隠されていることが好ましい。
【００８５】
少なくとも１枚の衣類がいかなるＭＥＧＣＭも含まないことが好ましい。ＮＬＥ（図には非掲載）として、パンティー（２９１）と連結されているＭＥＧＣＭ（２５６）は、ＳＥＧＣＭと、ＭＥＧＣＭ（２５７）とＳＥＧＣＭを接続する伝導手段に置き換えられる。
【００８６】
本発明により、個人用衣類留め手段（ＰＣＣＭ）（２００）がモデル（２５０）と連結し、本発明の少なくとも一部の機能を提供することが好ましい。ＰＣＣＭの好ましい実施形態は、首につけるペンダント（２００）である。ＰＣＣＭのその他のＮＬＥは、好ましくは腕時計、ベルトのバックル、ブレスレット、指輪、イヤリング、キー・タグの少なく
とも一つを含む。ＥＧＣＭとＰＣＣＭはこの具体例ではターゲット手段と称することができる。ターゲット手段は、以下であることが好ましい。
【００８７】
・少なくとも一つのＰＣＣＭに少なくとも一部が含まれる少なくとも一つのＥＧＣＭのために記述された手段、および／または
・少なくとも一つのＥＧＣＭに少なくとも一部が含まれる少なくとも一つのＰＣＣＭのために記述された手段、および／または
・ＰＣＣＭ（２００）が、前記ＰＣＣＭを着用しているモデルと連結したＥＧＣＭと通信するための主要手段。
【００８８】
少なくとも一つのＥＧＣＭを開放する遠隔信号が、好ましくは少なくとも一つのＰＣＣＭに指示を出し、指示を出されたＰＣＣＭはそれを処理する。少なくとも一つのＰＣＣＭが開放コマンド（２６５）を、ワイヤレス手段（２６５）により、少なくとも一つのＭＥＧＭ（例えば２５６、２５７）および／またはＳＥＧＭ（２６４、２６８、２７３）に送れることが好ましい。ワイヤレス手段は、好ましくは赤外線および／または高周波である。
【００８９】
前記ＰＣＣＭがＥＧＣＭに指令を送る手段は、高周波であることが好ましい。高周波手段は、ブルー・トゥース８０２．１１および／またはＺｉｇｂｅｅおよび／またはガレージ開閉を高周波で遠隔制御するユニットで使用されている手段、の少なくとも一つであることが好ましい。
【００９０】
・前記ＰＣＣＭコマンドは、好ましくは、少なくとも一つのＭＥＧＣＭ（例えば２５６）に伝送される少なくとも一つの開放コマンドを含む。ターゲットＭＥＧＣＭは、好ましくは前記ＭＥＧＣＭの好ましくは独自のＩＤ手段を送ることによって対応する。ＥＧＣＭを開放する少なくとも一つのＩＤ手段も同様に送られることが好ましい。
【００９１】
・ＮＬＥとして、開くべきターゲット閉合がＳＥＧＣＭ（２７３）である場合、ＰＣＣＭ（２００）は、好ましくは、前記ＭＥＧＣＭ（２５７）とターゲットＳＥＧＣＭ（２７３）のＩＤ手段を高周波で伝送してＭＥＧＣＭ（２５７）に対応する。開くべきターゲット閉合がＭＥＧＣＭ（２５７）そのものである場合、好ましい方法は、ＳＥＧＣＭ（２５６）のＩＤ手段の代わりに、このＭＥＧＣＭ（２５７）のＩＤ手段を含む。
【００９２】
・図１の例では、ＭＥＧＣＭ（２５６）および／または（２５７）を開放するコマンドは、好ましくは２５６および／または２５７の閉合のうち少なくとも一つを開放するため独自の電力を使用する前記ＭＥＧＣＭとなる。ＳＥＧＭ（２６４）を開放するコマンドは、好ましくは電力および／またはＳＥＧＭ２６４の開放を操作する制御信号を、導体２３８を通じて送るＭＥＧＣＭ２５６となる。同様に、ＳＥＧＭ２６８および／または２７３を開放するコマンドは、好ましくは電力および／またはＳＥＧＭ２６８および／または２７３の開放を操作する制御信号を、導体２７５ａおよび／または２７５ｂを通じて送るＭＥＧＭ２５７となる。
【００９３】
・複数の閉合を開放するコマンドが送れると好ましい。好ましくは、前記複数のコマンドが、対象となる閉合の数を助言する手段を含む。
【００９４】
・ＰＣＣＭ２００の少なくとも一つが、少なくとも一つのＥＧＣＭから前記コマンドを受け取り、および／またはそのコマンドを遂行した旨の確認を受け取れることが好ましい。少なくとも一つのＥＧＣＭから前記ＰＣＣＭへ情報を送信する前記手段は、好ましくは少なくとも一つの高周波手段を使用した好ましいやり方で前記ＥＧＣＭと通信するＰＣＣＭのために記述された少なくとも一つの手段を含む。
【００９５】
・少なくとも一つのＰＣＣＭ２００から少なくとも一つのＥＧＣＭへ送られたコマンドは、少なくとも一部が暗号化されていることが好ましい。前記ＰＣＣＭと連結したＥＧＣＭは、暗号解読に必要なキーを含んでいることが好ましい。暗号解読キーは前記ＰＣＣＭから前記ＥＧＣＭ内に搭載できることが好ましい。
【００９６】
・暗号化は、特定の閉合を開放するためのコマンドとして一つ一つ異なることが好ましい。非限定的な理由は、情報の不正傍受を避ける。
【００９７】
・暗号化プロセスを変化させる非限定的な手段は、好ましくは暗号化のプロセスで前記ＰＣＣＭに連結された実時間時計／カレンダー手段（２８３）から取得したデータを含む。前記コマンドの解読に、少なくとも一つのＥＧＣＭと連結した実時間時計／カレンダー（ＲＴＣＭ）を使用できることが好ましい。ＰＣＣＭのＲＴＣＭを、連結されたＥＧＣＭと同期する手段があることが好ましい。
【００９８】
少なくとも一つのＰＣＣＭ（２００）をグローバル・ポジショニング・システム（ＧＰＳ）手段（２４４）と連結できること、ＮＬＥとして現在、過去に保存された、前記ＧＰＳ手段（２４４）が決定したモデルの地理座標が、好ましくは少なくとも一つのＥＧＣＭを開放するため使用できることが好ましい。
【００９９】
・ＮＬＥとして少なくとも一つのＰＣＣＭが少なくとも一つのＧＰＳ座標とともにプログラムできることが好ましい。ＧＰＳ座標は（好ましくは前記ＰＣＣＭを着用した）モデルがその座標に達した際、少なくとも一つのＥＧＣＭを開放できる少なくとも一つの地点に呼応する。
【０１００】
・少なくとも一つのＰＣＣＭ（２００）が、内部にプログラムされるＧＰＳ座標の少なくとも一部を取得するために使用できることが好ましい。その例としては、人がパフォーマンス・スペースを歩き回って、さまざまな地点でＧＰＳ座標を収集する。これらは、好ましくは前記ＰＣＣＭおよび／または少なくとも一つのその他ＰＣＣＭにプログラムし、および／またはＰＣのプログラムなどのその他の手段に情報を提供するために使用される。
【０１０１】
・ＮＬＥとして、ダンサーが好ましくはパフォーマンスを行う舞台であらかじめ決められた地理座標の少なくとも一つに達すると、少なくとも一つのＥＧＣＭが開放されるようなルーティンの動きを考えられる。
・ＮＬＥとして、パーティーおよび／またはダンスの少なくとも１人のゲストが好ましくはあらかじめ決められた、あるいはＧＰＳ座標（好ましくはダンスフロアおよび／またはパーティー会場に呼応した座標）から無作為に選択された場所に、好ましくは無作為の、あるいはあらかじめ決められた時間に、（好ましくはワイヤレス手段で）派遣される。ＧＰＳ座標のいずれかに一致する地点にいる少なくとも１人のゲストが、好ましくは少なくとも一つのＥＧＣＭを開放する。開放は、その他の手段によって操作できる。
【０１０２】
少なくとも一つのＰＣＣＭ（２００）が画像記録（２４１）（例えばＣＭＯＳ  Ｉｍａｇｅ  Ｓｅｎｓｏｒ  ａｎｄ  Ｌｅｎｓ）および／または画像処理および／または画像認識の手段を備えることが好ましい。ＮＬＥとして、前記画像手段が少なくとも１人のオペレーター（２４９）の少なくとも一部を記録するために使用され、好ましくはその情報が少なくとも一つのＥＧＣＭを開放する操作を行うために使われる。たとえばモデルのパートナーの笑顔が、少なくとも一つの閉合を開放するために必要となることがある。
【０１０３】
少なくとも一つのＥＧＣＭの開放が、ＰＣＣＭ（２００）と連結できる実時間時計手段（２８３）の値によって操作できると好ましい。
【０１０４】
少なくとも一つのＰＣＣＭがａ）ゲーム進行観察手段（２４３）および／またはｂ）オーディオビジュアル管理手段（２４０）および／またはｃ）パーティー管理手段（２４２）の少なくとも一つとインターフェースで接続できることが好ましい。
【０１０５】
少なくとも一つのＰＣＣＭが、少なくとも一つのＥＧＣＭに関してユーティリティ関数を実行できることが好ましい。ユーティリティ関数はローカル・ユーティリティ手段と称される。ユーティリティ関数を実行するための、少なくとも一つのＥＧＣＭからのデータの読み込みおよび／またはＥＧＣＭへのデータ書き込みは、好ましくはＩｒＤａのインターフェースおよび／または高周波手段および／または導電手段を用いる。
【０１０６】
本発明は、本発明と連結した手段のための少なくとも一つのユーティリティ関数が、少なくとも一つのユーザーが制御するデータ処理手段（ＵＣＤＰＭ）（例えばＰＣ）に関して、および／またはインターネットと連結した手段を通じて、実行できるようにする。これは、拡張されたユーティリティ手段と称される。少なくとも一つのＰＣＣＭが、拡張されたユーティリティ手段を実行するためにＰＣ手段（２８１）および／またはインターネット（２８０）と情報をやりとりできることが好ましい。ＰＣＣＭとＵＣＤＰＭ間で通信を行う際の好ましい手段は、ＩｒＤａおよび／または高周波である。本発明は、好ましくは、少なくとも一つのＵＣＤＰＭと連結した手段が、ＵＣＤＰＭとＰＣＣＭ間で情報をやりとりできるようにする。
【０１０７】
遠隔手段：
以下のＮＬＥのうち少なくとも一つが、閉合を開放するコマンドをモデル（２５０）が着用している少なくとも１枚の衣類（例えばブラジャー２９０、パンティー２９１）と連結した手段に発する少なくとも１人のオペレーター（２４９）によって使用されることが好ましい。
【０１０８】
１）音声コマンド（２４６）は、好ましくは以下の方法の少なくとも一つを含む。
・空気のような媒体を通じて、モデル（２５０）と連結した少なくとも一つのターゲット手段（例えば２００および／または２５７および／または２５６）に伝達され、好ましくは前記ターゲット手段と連結したマイクロフォン（図には非掲載）によって受信される口頭のコマンド／指示。ターゲット手段は、好ましくは音声認識手段を含む。好ましい方法は、少なくとも一つのＰＣＣＭ（２００）に音声聴取・処理の機能を配することである。
【０１０９】
・ローカルな手段によって、オペレーター（２４９）に伝達された音声を遮断する方法。ＮＬＥは遠隔脱衣手段（ＲＵＭ）を制御するオペレーター（２４９）のマイクロフォンおよび／または音声処理手段を含む。処理された情報（例えばコマンド）は、好ましくは赤外線および／または高周波の信号としてターゲット手段（例えば２００および／または２５６および／または２５７）に送られる。好ましいターゲット手段は少なくとも一つのＰＣＣＭ（２００）である。ＮＬＥとして、受け取られた音声の少なくとも一部はデジタル化され、デジタル化されたフォーマット（赤外線および／または高周波）は少なくとも一つのＰＣＣＭに、さらに情報を処理するために送られる。および／またはデジタル化された情報は、前記ＲＵＭと連結した手段によって音声認識処理され、処理の結果の少なくとも一部は好ましくは少なくとも一つのＰＣＣＭに送られる（例えば赤外線および／または高周波）。
【０１１０】
２）テレビのリモコン手段（および／またはその他オーディオビジュアルＲＣＭ）（２
９２）。この手段は、赤外線で伝達されるテレビのリモコン手段を使った好ましい実施形態を記述する。本発明によって、好ましくはその他の手段（好ましくはワイヤレス）が高周波手段のＮＬＥを含むことができる。本発明によって、好ましくは前記テレビのリモコン（２９２）の少なくとも一部が遠隔脱衣手段（２４７）の手段の一部として含まれる。
【０１１１】
・オペレーターがさまざまな機能にアクセスするため、前記リモコンユニット（例えば数字のチャンネル選択キーを使用した数字コード）にパスワードを入力することが好ましい。パスワードは好ましくはモデルによって提供される。少なくとも一つのＥＧＣＭとともに郵送されたデフォルトのパスワードが、そのＥＧＣＭの挿入物に印刷されていることが好ましい（例えば好ましくは、前述ＥＧＣＭの後部表面はオペレーターには容易に見えない）。
【０１１２】
・少なくとも一つのＥＧＣＭの少なくとも一つの閉合を開放する手段の好ましいＮＬＥは、開放する閉合に呼応した前記リモコン（好ましくは赤外線通信のアウトプットをターゲット手段に向けている間に）を操作する数字コードを入力することである。
【０１１３】
・前記オペレーターが数字のコードを取得する手段の好ましいＮＬＥは、モデルがオペレーターにパスワードを教えることである。
【０１１４】
・前記オペレーターが数字のコードを取得するもう一つのＮＬＥは、ＰＣＩＭ数値を決定することだ（本説明書で後に説明する）。
【０１１５】
・少なくとも一つのＥＧＣＭと連結した少なくとも一つの閉合を開放する手段の好ましいＮＬＥは、前記リモコン手段のチャンネルキーを上／下に順次押し、次々と閉合を開放することを含む。ＥＧＣＭで連続して点滅する発光ダイオード（ＬＥＤ）（例えば緑色）は、好ましくは、操作を行う第三者の作業をやりやすくする。好ましいもう一つのバリエーションとして、閉合を次々と開放するには上矢印、作業を１回飛ばすには下矢印のチャンネルキーを使用することが挙げられる。
【０１１６】
・衣類（例えば２５６および／または２５７）と連結した少なくとも一つのＭＥＧＣＭが、テレビリモコンが出したコマンドに反応できることが好ましい。このアプローチは、好ましくは消費者が制御手段（例えばＰＣＣＭ（２００））および／またはＲＵＭ（２４７）を追加して購入する必要なく、遠隔操作で衣類を脱がせる少なくとも一つの手段を提供する。これは、本発明の利用者の大半が、少なくとも一つのテレビ用リモコンにアクセスできると考えられるためである。
【０１１７】
３）遠隔脱衣手段（ＲＵＭ）好ましくは、閉合を開放するコマンドおよび／またはその他の情報を少なくとも一つのＰＣＣＭに送り、好ましくはＰＣＣＭで記述された高周波手段および／または赤外線手段の少なくとも一つを使用する、２４７。少なくとも一つのＰＣＣＭが少なくとも一つのＲＵＭ２４７と（高周波および／または赤外線により）通信できることが好ましい。ＮＬＥとしては、オペレーター２４９がａ）前記ＲＵＭ２４７と連結した英数字のキーパッド上のコマンドを押す、および／またはｂ）前記ＲＵＭ２４７と連結した、あらかじめ定められているコマンドキーを押す、および／またはｃ）前記ＲＵＭ２４７と連結したディスプレイ（例えばＬＣＤ）のメニューの少なくとも一つを選択する、がある。先に記述したＲＵＭ２４７は、好ましくは音声コマンド２４６を受け取り、少なくとも一部を処理して、高周波手段および／または赤外線手段を介して前記ＰＣＣＭ２００に送る。本発明は好ましくは前記ＲＵＭ２４７が画像記録および／または画像処理の手段を含むことができるようにする。画像手段は、好ましくは少なくとも一つのＰＣＣＭと連結した画像処理ですでに記述された手段の少なくとも一部を実行できる。少なくとも一つのＲＵＭ２４７は、好ましくはａ）少なくとも一つのＰＣＣＭ、および／またはｂ
）少なくとも一つのＰＣＣＭおよび／またはＥＧＣＭをプログラムするために記述された少なくとも一部の使用、によってプログラムおよび／または編集された連動記憶手段を備えることができる。
【０１１８】
インターネット操作による開閉手段（ＩＩＣＯＭ）  本発明は、好ましくはａ）少なくとも一つの、ユーザーが制御するデータ処理手段（ＵＣＤＰＭ）２８１と連結した手段、および／またはｂ）ＷＡＮ２８０（例えばインターネット）を通じて伝送された情報、が少なくとも一つのＥＧＣＭを開放できるようにする。好ましい方法は、前記ＵＣＤＰＭにインターフェース接続するデバイスを供給することだ。デバイスは、好ましくは前記ＵＣＤＰＭから電力を得る。前記デバイスを連結する非限定的な手段は、好ましくはゲームポート、シリアルポート、パラレルポート、ユニバーサル・シリアル・バス（ＵＳＢ）の少なくとも一つを含む。前記デバイスは情報を好ましくは少なくとも一つのＰＣＣＭ（好ましくは高周波および／または赤外線のようなワイヤレス手段によって）に伝送する。伝送された情報は、好ましくは少なくとも一つのＥＧＣＭの開放を操作する。情報が前記ＰＣＣＭから前記ＵＣＤＰＭおよび／またはＷＡＮに伝送できると好ましい。前記ＰＣＣＭからの前記情報は、好ましくは画像を含むことができる。コンピューターやインターネットがＥＧＣＭの開放を操作することは、ａ）少なくとも一つのコンピューターゲーム、および／またはｂ）インターネットを使った、少なくとも一つのコンピューターゲームおよび／またはその他の活動、の進歩や結果によって少なくとも一部が影響を受ける。本発明は好ましくは少なくとも一つのＩＩＣＯＭの少なくとも一部が、少なくとも一つのＰＣＣＭに含まれるようにする。
【０１１９】
本発明は、好ましくは電話の発信音による開閉手段（ＴＴＣＯＭ）（図には非掲載）によって、電話の発信音および／または電話システムを通じて送られたその他の情報が少なくとも一つのＥＧＣＭの開放を操作できるようにする。好ましい方法は、電源内蔵デバイスが電話のハンドセットとデジタル化された電話の発信音と連結し、好ましくはＲＵＭ２４７ですでに記述されたワイヤレス手段によって、少なくとも一つのＰＣＣＭにデジタル化された結果を送れるようにする。本技術に習熟すると、テレビのリモコンを使った閉合の開放で記述された手段を電話のキーパッドに適用できるはずだ。電話のキーパッドの＃と＊マークは、好ましくは前記テレビリモコンのチャンネルキーについている上矢印／下矢印に変更できる。本発明は好ましくは、ワイヤレス手段（例えばブルー・トゥース、Ｚｉｇｂｅｅ、８０２．１１）を備えた携帯電話にＥＧＣＭの開放を指示するため、少なくとも一つのＰＣＣＭ２００と通信できる少なくとも一つのプログラムが搭載できるようにする。本発明は好ましくは、少なくとも一つのＴＴＣＯＭの手段の少なくとも一部が、少なくとも一つのＰＣＣＭに含まれるようにする。
【０１２０】
本発明は好ましくはゲーム（ボードゲームやカードゲーム）の進展や結果が、少なくとも一つのＥＧＣＭの開放に影響するようにする。ＮＬＥとしては、ゲームは好ましくはポーカー、５００、ブリッジ、カナスタ、ブラックジャック、バカラ、スクラブル、モノポリー、トリビアル・パスートの少なくとも一つを含む。本発明はゲーム進行観察手段（ＧＴＭ）２４３がＮＬＥとして好ましくは前記ゲームの参加者の少なくとも１人の結果を追跡し、好ましくは既定および／または無作為および／またはその他の手段によって好ましくはワイヤレス信号（例えば高周波および／または赤外線）を送る。前記信号は好ましくは、少なくとも一つのＥＧＣＭの開放を操作する。前記ＥＧＣＭの開放を操作するのに関連して、前記ゲーム進行観察手段２４３は、前記ゲームに参加している少なくとも１人に、飲み食いするよう助言できることが好ましい。本発明は好ましくは前記ゲーム進行観察が少なくとも一部は自動化（例えば電子カードテーブルや電子ボードゲーム）されていることが好ましい。前記食事や飲み物の提供は、少なくとも一部の自動手段（例えば電子制御および／または自動ドアや自動トレイ）によることが好ましい。少なくとも一つのＰＣＣＭは、ゲーム進行観察手段２４３によって操作できるＥＧＣＭを制限するようプログラ
ムできることが好ましい。本発明は少なくとも一つのＧＴＭ手段の少なくとも一部が、少なくとも一つのＰＣＣＭに含まれるようにできる。
【０１２１】
本発明は好ましくはパーティー、ダンス、イベント会場でパーティー管理手段（ＰＭＭ）が、少なくとも一つのＥＧＣＭの開放を操作できるようにする。ＰＭＭは参加者モデルのＰＣＣＭのＩＤ手段、そして好ましくは衣類および／または前記参加者が着用しているＥＧＣＭと連結した衣類のリストとともに搭載されていることが好ましい。少なくとも一つのＰＣＣＭが、連結した少なくとも一つのＥＧＣＭにアクセスするのを制限できることが好ましい。前記ＰＭＭに前記制限がプログラムできると好ましい。ＰＣＣＭからＰＭＭへの情報伝達は、好ましくは高周波および／または赤外線通信による。ＮＬＥとして、前記ＰＭＭは好ましくは、少なくとも１人の参加者に連結した少なくとも一つのＥＧＣＭの開放を操作できる好ましくはワイヤレス手段（例えば高周波および／または赤外線）によって、パーティーやダンスが開かれている間、情報伝達に影響を与える既定および／または無作為および／またはその他の手段をプログラムできる。前記信号は好ましくはａ）閉合を開放するターゲットとなるＰＣＣＭのＩＤ手段、および／またはｂ）閉合を開放するターゲットとなるＥＧＣＭのＩＤ手段、および／またはｃ）ＧＰＳ手段、および／またはｄ）少なくとも一つの事象が起きると考えられる時刻、および／またはｅ）閉合の開放に先立って起こると考えられる事象の回数、の少なくとも一つを含む。少なくとも一つのＰＣＣＭが（好ましくは参加者と連結する）が前記ＰＭＭによって送られた前記情報をモニターし、その情報に対応して、連結している閉合の少なくとも一つを開放するかどうか、またいつ開放するか、を決定することが好ましい。ＮＬＥとして前記ｄ）および／またはｅ）は、好ましくは先に記述されているように、ＰＣＣＭとＰＭＭの間で最初に情報がやりとりされるとき、少なくとも一つのＰＣＣＭに少なくとも一部がプログラムできる。少なくとも一つのＰＣＣＭが、前記パーティー管理手段２４２によって操作できるＥＧＣＭを制限するようプログラムできることが好ましい。本発明は好ましくは、少なくとも一つのＰＭＭの手段の少なくとも一部が、少なくとも一つのＰＣＣＭに含まれるようにする。
【０１２２】
本発明は、好ましくは、少なくとも一つのＥＧＣＭの開放を操作する少なくとも一つのオーディオ手段（例えば音楽、歌）および／またはビデオ手段（例えばフィルム・クリップ）の使用を可能にする。その好ましい手段は、オーディオビジュアル管理手段（ＡＭＭ）２４０の使用を含む。本発明は好ましくはａ）オーディオおよび／またはｂ）ビジュアルおよび／またはｃ）その他のｉ）前記ＡＭＭ２４０とのインターフェース接続手段および／またはｉｉ）少なくとも一つのＥＧＣＭを開放できる手段、の広告、制作、流通、販売、使用を可能にする。
【０１２３】
１）前記オーディオおよび／またはビデオの供給手段のＮＬＥは、好ましくはＣＤ、ＤＶＤ、インターネット、メモリ記憶手段、ビデオテープ、ケーブル、ライブ・パフォーマンス（例えばコンサート、ファッションショー）の少なくとも一つを含む。
【０１２４】
２）前記ＡＭＭが、前記オーディオおよび／またはビジュアル手段の使用に関連する情報を受け取ったり、処理したりできる手段と連結することが好ましい。好ましくは、受け取ったり処理したりした情報の少なくとも一部に対応し、前記ＡＭＭは、好ましくは少なくとも１人のモデルが着用している少なくとも一つのＥＧＣＭの開放を操作する少なくとも一つのＰＣＣＭに情報を転送する（例えば高周波および／または赤外線）。
【０１２５】
３）オーディオ手段および／またはビジュアル手段に呼応して少なくとも一つのＥＧＣＭの開放を操作する起動手段は、好ましくは以下のＮＬＥの少なくとも一つを含む。
【０１２６】
・好ましくは以下のＮＬＥのうち少なくとも一つを含む広域音声起動手段
・少なくとも一つのオーディオ手段（例えばＣＤおよび／またはＤＶＤ）が好ましくは
、サウンドトラックに少なくとも一つの音を含み、前記あらかじめ設定された音が衣類の閉合を開放する引き金として、好ましくは前記ＡＭＭによって認識される。このような起動タイプは既定音声内臓オーディオ手段（ＰＥＡＭ）と称される。ＮＬＥとして、少なくとも一つのＰＥＡＭが好ましくは、最初の時間帯には初回用の周波、２回目の時間帯には２回目用の周波を含むことができる。周波および／または時間を変化させることで複数のコードを作れることが好ましい。少なくとも一つのＡＭＭが少なくとも一つのＰＥＡＭで事前にプログラムされ、および／または前記ＰＥＡＭを認識する手段と連結することが好ましい。少なくとも一つのＰＥＡＭが、多種類のオーディオトラックに対応できるように業界標準部品で組み立てられていることが好ましい。少なくとも一つのＰＥＡＭが事前に決められたフレーズ（例えば’ｄｒｏｐ  ｙｏｕｒ  ｇｏｏｄｉｅｓ’）であることが好ましい。少なくとも一つのＡＭＭは好ましくは、送られた音声をデジタル化し、以前に保存されたデジタルフォーマットと一致あるいは近似するデジタルフォーマットを求めて、デジタル化した情報を処理する。
【０１２７】
・少なくとも一つのオーディオ手段（例えばＣＤおよび／またはＤＶＤ）は好ましくは、特別に作った音声が好ましくは前記ＡＭＭによって衣類の閉合を開放する起動装置として認識されるよう、少なくとも一つの特別に作った音声をサウンドトラックに含む。このような起動タイプは特別音声内臓オーディオ手段（ＣＥＡＭ）と称される。少なくとも一つのＡＭＭが少なくとも一つのＣＥＡＭを認識できるように支援する手段があることが好ましい。少なくとも一つのＰＥＡＭが、少なくとも一つのＡＭＭを起動させて、送られてくる音声からＣＥＡＭを探し出すようにすることが好ましい。ＮＬＥとしては前記支援手段は以下の少なくとも一つを含むことが好ましい。
【０１２８】
ｂ）少なくとも一つのＣＥＡＭのサウンドトラックとしてオーディオ手段（例えばＣＤおよび／またはＤＶＤ）に、少なくとも一つの手段の少なくとも一部を含む。前記ＣＥＡＭは、好ましくは連結されたオーディオ手段および／またはその他オーディオ手段の音声／音楽で使われているものの少なくとも一部と関連している。これは好ましくは少なくとも一つのＡＭＭが送られた音声をデジタル化するようプログラムされ、好ましくはこの先使用する場合に備えてデジタル化された情報をデータベースに保存している間、使用される。
【０１２９】
ｃ）好ましくは連結した歌／音楽／ビデオの手段とともに配布でき、好ましくは少なくとも一つのＡＭＭと連結した手段によって読み込める記憶手段（例えばフラッシュメモリ、ＣＤ（好ましくは連結した歌／音楽／ビデオを含む））に好ましくはあらかじめデジタル化されたデジタルフォーマットの少なくとも一つのＣＥＡＭを含む。
【０１３０】
ｄ）少なくとも一つの広域ネットワーク（ＷＡＮ）（例えばインターネット、イントラネット）を通じて少なくとも一つのＣＥＡＭを配布する。少なくとも一つのＰＣＣＭがＷＡＮとＡＭＭ間の情報のやりとりを容易にする手段として機能できると好ましい。
広域起動手段（ＢＹＭ）は好ましくは、少なくとも一つのオーディオ（例えばＣＤプレイヤーでかかっているＣＤの音楽）を使用して発生した音声をデジタル化し、デジタル化された音声をあらかじめデジタル化された閉合を開放する起動情報と比較する、少なくとも一つのＡＭＭと連結した手段に依存する。
【０１３１】
少なくとも一つのＡＭＭが好ましくは少なくとも一つの時間（好ましくは０から始まる）のリストを含み、好ましくは少なくとも一つのＡＭＭに送信できる少なくとも一つの時間管理起動手段（ＴＭＴＭ）に対処する。前記ＡＭＭが少なくとも一つのＴＭＴＭにアクセスするよう指示される際、ＡＭＭは好ましくは前記ＴＭＴＭに指示されたとおり、少なくとも一つのＥＧＣＭを開放する操作信号を発する。少なくとも一つのＴＭＴＭが異なるタイプのＴＭＴＭの使用を許可するためのその他コードを含められることが好ましい。少
なくとも一つのＴＭＴＭを準備する非限定的な方法は、好ましくはオーディオを聞き、および／またはビジュアルを見て、衣類の対になっている部分をはずす操作を行う起動スタート時間（例えば曲の開始）のリストを準備することである。少なくとも一つのＴＭＴＭを配信する非限定的な手段は、好ましくは広域起動手段で説明された手段を少なくとも一つ含む。少なくとも一つのＡＭＭがＢＴＭおよび／またはＴＭＴＭ（非限定的な例として、ＢＴＭは曲の開始時に使用し、ＴＭＴＭの開始を起動できる）を使用できることが好ましい。
【０１３２】
少なくとも一つの初回の起動が、少なくとも一つの２回目の起動と異なっており、前記初回の起動が初回の効果（例えばＮＬＥとして、参加者全員の衣類留めの開放を操作する）を上げられること、そして前記２回目の起動が次の効果（ＮＬＥとして、参加者１人の閉合の開放を操作する）を上げられることが好ましい。
【０１３３】
本発明は好ましくは前記オーディオビジュアル管理手段２４０で説明された手段の少なくとも一部が、パーティー管理手段２４２で説明された手段の少なくとも一部と組み合わせられるようにする。パーティー管理手段２４２とオーディオビジュアル管理手段２４０が、同じデバイス内で組み合わせられることが好ましい。本発明は好ましくは少なくとも一つのＰＭＭの手段の少なくとも一部が少なくとも一つのＡＭＭに含まれることを可能にする。
【０１３４】
説明の次の部分は、ＥＧＣＭの好ましい非限定的な実施形態を示す図２を参照する。前記ＥＧＣＭのＮＬＥは図２の１ａ、１ｂ、１ｃに表示されている。ＥＧＣＭは好ましくは少なくとも一部にプラスチック（好ましくは射出成形プラスチック）を使用した好ましい方法を用いて、どのような手段からでも構築できる。前記ＥＧＣＭの非限定的な機能は、少なくとも１枚の衣類の少なくとも一部分を、前記衣類の他部分の少なくとも１枚および／または他の衣類の少なくとも１枚と対にすることが好ましい。前記対では、常に、少なくとも一つのＥＧＣＭとともに対にした衣類が物理的に結合していることが必要だ。結合された部分が徐々に開くようにするには、通常は、前記衣類の少なくとも１部分が、ＥＧＣＭからはずれる、および／またはＥＧＣＭが連結している部分を解除する。
【０１３５】
この目的を実行するための好ましい手段は、少なくとも一つのＥＧＣＭ（１ａ、１ｂ、１ｃ）と少なくとも１枚の衣類の少なくとも構成部分（１０ａ、１０ｂ、１０ｃ、１０ｄ、１０ｅ、１０ｆ）を、少なくとも一つの取付手段（２ａ、２ｂ、２ｃ、６ａ、６ｂ、６ｃ）によって連結することである。前記取付手段のＮＬＥは、好ましくは以下の少なくとも一つを含む。
【０１３６】
・タイプ１固定式取付手段で、ここでは少なくとも１枚の衣類（１０ａ、１０ｂ）の少なくとも１部分が、好ましくは少なくとも一つの取付手段（２ａ、２ｂ）と物理的に連結され、前記取付手段は、好ましくは少なくとも一つのＥＧＣＭ１ａに固定される。前記取付手段のＮＬＥは好ましくは以下を含む。
【０１３７】
・少なくとも一つのＥＧＣＭ１ａのケースに少なくとも一つのプラスチックの輪２ａを接着する、および／または
・少なくとも一つのＥＧＣＭ１ａのプラスチックケースに、少なくとも一つの金属の輪２ｂを例えば製造中に埋め込む。
【０１３８】
・前記物理的に連結する、とは好ましくはいつも可逆的に取り外しが容易にできるわけではない手段を参照する。
【０１３９】
・前記物理的な連結のＮＬＥは、好ましくは衣類１０ａの一部である裁縫（例えば糸に
よる）３ａと前記取付手段２ａの連結、および／または衣類１０ｂの一部である接着手段（熱加工を含むことがある）３ｂと取付手段２ｂの連結を含むことができる。
【０１４０】
前記連結部分を分離する手段の非限定的な手段の一つは、ＥＧＣＭ１ａの５行めにあるようにＮＬＥとして前記ＥＧＣＭ１ａの少なくとも１部の分離を容易にしている本発明の一部を採用することだろう。ＥＧＣＭ１ａのその他の実施形態は、分離できない。
および／または
タイプ２固定式取付手段で、ここでは少なくとも１枚の衣類（１０ｃ）の少なくとも１部分が、好ましくは少なくとも一つの取付手段（２ｃ）と可逆的・物理的に連結され、前記取付手段は、好ましくは少なくとも一つのＥＧＣＭ１ｂに固定される。前記取付手段のＮＬＥは好ましくは以下を含む。
【０１４１】
・少なくとも一つのＥＧＣＭ１ｂのケースに少なくとも一つのプラスチックの輪２ｃを接着する、および／または
・少なくとも一つのＥＧＣＭ１ｂのプラスチックケースに、少なくとも一つの金属の輪（図には非掲載）を例えば製造中に埋め込む。
【０１４２】
・可逆的・物理的に連結する、とは好ましくはいつも可逆的に取り外しができる手段を参照する。
【０１４３】
・前記可逆的・物理的な連結のＮＬＥは、好ましくは取付手段２ｃに手で付けることができ、後に好ましくは手で外すことのできる留め金７ｂを含むことができる。
および／または
タイプ１可逆的取付手段で、ここでは少なくとも１枚の衣類（１０ｄ、１０ｆ）の少なくとも１部分が、好ましくは少なくとも一つの取付手段（６ａ、６ｂ）と物理的に連結し、前記取付手段（６ａ、６ｂ）は、好ましくは少なくとも一つのＥＧＣＭ（１ｂ、１ｃ）から取り外される。前記取り外しは、好ましくは少なくとも一つの遠隔手段および／または自動手段に呼応する。前記取付手段６ａは、好ましくは一時的に前記ＥＧＣＭ１ｂ、１ｃと連結する。一時的な連結の、非限定的な好ましい手段は、好ましくは少なくとも一つの取り付け手段（６ａ、６ｂ）の、少なくとも一つの取付用容器手段８への（少なくとも一部の）挿入を含む。
【０１４４】
・前記物理的な連結とは、好ましくはいつも可逆的に取り外しが容易にできるわけではない手段を指す。
【０１４５】
・前記物理的な対のＮＬＥは、好ましくは衣類１０ｄの一部である裁縫（例えば糸による）７ａと前記取付手段６ａの連結、および／または衣類１０ｆの一部である接着手段（熱加工を含むことがある）７ｃと取付手段６ｂの連結を含むことができる。
および／または
タイプ２可逆的取付手段で、ここでは少なくとも１枚の衣類（１０ｅ）の少なくとも１部分が、好ましくは少なくとも一つの取付手段６ｃと可逆的・物理的に連結し、前記取付手段は、好ましくは少なくとも一つのＥＧＣＭ１ｃから取り外される。前記取り外しは、好ましくは少なくとも一つの遠隔手段および／または自動手段に呼応する。前記取付手段６ｃは、好ましくは前記ＥＧＣＭ１ｃと一時的に連結する。一時的に連結する、非限定的な好ましい手段は、好ましくは少なくとも一つの取り付け手段６ｃの、少なくとも一つの取付用容器手段８への挿入を含む。
【０１４６】
・前記可逆的・物理的に連結する、は好ましくはいつも可逆的に取り外しが容易にできる手段を参照する。
【０１４７】
・前記可逆的・物理的な連結のＮＬＥは、好ましくは取付手段６ｃに手で付けることができ、後に好ましくは手で外すことのできる留め金７ｄを含むことができる。
および／または
タイプ３可逆的取付手段および／またはタイプ４可逆的取付手段（以下を参照のこと）
少なくとも一つの可逆的取付手段が少なくとも一つの衣類連結促進手段（ＧＣＦＭ）４６を含み、衣類と取付手段との連結を容易にすることが好ましい。前記ＧＣＦＭ４６のＮＬＥは、開ループ４６の型を可逆的取付手段（６ａ、６ｂ、６ｃ）の少なくとも１本の棒にはめこむことを含む。前記ＧＣＦＭ４６がどのように連結を促進するかに関するＮＬＥは、少なくとも１枚の衣類の部分および／またはＧＣＦＭを通じて糸および／または接着剤を通り抜けやすくすることを含む。
【０１４８】
少なくとも一つのＥＧＣＭは好ましくは以下の少なくとも一つを含む。
・電源のスイッチ（１０１）。好ましくは、誤った操作を最小限にするため、好ましくは一時停止および／または保護されている（スイッチはあらかじめ決められた時間のみ起動するように設定することが必要だろう）電気機械用スイッチである。電源スイッチ（１０１）はまた、リセット手段を持てることが好ましい。
【０１４９】
・手動リリース手段（１８０）例えば可逆的取付手段（６）の取り外し、および／または少なくとも一つのＥＧＣＭを複数部分に分離する（ＥＧＣＭ１ａに関する説明の５行目）
・象徴的な記号１８５
・少なくとも一つの可視光による照明手段９９（例えば発光ダイオード（ＬＥＤ））。好ましくは２色（例えば２色のＬＥＤ）。ＮＬＥとして、点滅ＬＥＤはＥＧＣＭが起動され、機能していることを示す。点滅する赤いＬＥＤは、好ましくは遠隔コマンドに呼応し、ＥＧＣＭが開放されないことをオペレーターに示す。点滅する緑のＬＥＤは、錠が開放コマンドに対応できることを示すのが好ましい。点滅ＬＥＤ（例えば０．５秒おきの点滅）は、指定時間になったら、連結した少なくとも一つのスイッチ（電源スイッチ）を入れるよう、促すために使用できる。
【０１５０】
・前記ＥＧＣＭは好ましくはパルス照明計測手段（ＰＩＣＭ）と連結する。ＮＬＥとして、前記照明手段は好ましくは図２のＬＥＤ（９９）であろう。前記ＬＥＤは好ましくは２色（例えば赤／緑）。赤いＬＥＤ（電源が入って静止している状態もしくは点滅）は、好ましくは連結している閉合への遠隔アクセスがブロックされたことを示す。点灯している緑のＬＥＤは、好ましくはアクセスが可能なことを示す。
【０１５１】
・緑のパルスライトは好ましくは少なくとも１枚の衣類と連結しているＥＧＣＭのグループから、少なくとも一つのＥＧＣＭを認証する手段として使用できる。
【０１５２】
・一定時間（例えば５秒間）のパルスライトの数は好ましくは前記ＥＧＣＭの数字コードと一致する（例えばＮＬＥとして、テレビのリモコンに押すチャンネル番号）。一定時間の開始が、２回間をおかずにフラッシュが光る、というように設定されていることが好ましい。少なくとも１枚の衣類と連結した複数のＰＩＣＭが、一斉に始動することが好ましい。本発明は好ましくは次に開放する閉合と連結したＰＩＣＭのみが始動できるようにする。
【０１５３】
・複数の自動留め手段を含むＥＧＣＭについては、それぞれの可逆的取付手段が照明手段を有し、各照明手段が好ましくは固有の数字コードを、好ましくは出力できることが好ましい。
【０１５４】
・衣類が消費者に提供される際、連結した少なくとも１枚の衣類がデフォルトのＰＩＣ
Ｍ数値を含むことが好ましい。
【０１５５】
・前記数値は好ましくは、閉合のための前記衣類コードと連結しているその他ＥＧＣＭとは異なる、固有のものである。
【０１５６】
・前記数値は、好ましくは再プログラムできる。
・ＩｒＤａのインターフェース（感知器（１００）とエミッター（９８））
・赤外線テレビリモコン（および／またはＡＶ制御手段）のための検出器（図には非掲載）
・少なくとも一つのＳＥＧＭに電力、領域、信号を供給する導電手段。
【０１５７】
・ＮＬＥは好ましくは、電力と領域を供給する導電手段１５０である。好ましい実施形態の一つに、各ＳＥＧＭ（および／または前記ＳＥＧＭの、別々に起動された部分）は固有の導体を持ち、その導体の起動は、連結されたターゲット手段（例えば閉合の開放、連結された装飾手段の起動、連結されたＬＥＤの起動）をも起動する。第二の実施形態では、伝導手段と連結された手段の少なくとも一部が、導体に電力、データ、制御を送るためＴｈｅ  Ｄａｌｌａｓ  Ｓｅｍｉｃｏｎｄｕｃｔｏｒｓ  Ｏｎｅｗｉｒｅシステムを使用する。少なくとも一つのＳＥＧＭが、好ましくは前記Ｏｎｅｗｉｒｅインターフェースに対応する手段を含む。Ｏｎｅｗｉｒｅデバイスを取り扱うためのＴｈｅ  Ｄａｌｌａｓ  Ｓｅｍｉｃｏｎｄｕｃｔｏｒのデータは参考資料に入っている。
【０１５８】
・装飾手段の取付けのＮＬＥは、好ましくはＥＧＣＭの片面上のＶ字形の刻み目（１６０）と、ＥＧＣＭの反対面上のＶ字形の刻み目（１６０ａ）を含む。Ｖ字形の刻み目（１６０、１６０ａ）が、図２の装飾手段（１７０）の錠締め手段（１６１、１６１ａ）と一致することが好ましい。電力が、インターフェース１６５（好ましくは装飾手段１７０、コネクター１７５と連結する）、インターフェース１６６上の領域（好ましくは前記１７０上で１７６と一致する）、少なくとも一つの信号（例えば１６７ａ、１６７ｂ、１６７ｃが好ましくは装飾手段１７０上で１７７ａ、１７７ｂ、１７７ｃと一致する）によって、前記装飾手段に供給できることが好ましい。本技術の経験者は、好ましくはＮＬＥとして照明機能および／または音声機能を含む装飾手段の少なくとも一つに、自動および／または遠隔制御の手段を提供するため、本発明の手段を適用できるはずである。前記照明機能は、好ましくはディスプレイ手段（例えばＬＣＤ）および／または化学光手段を含む。前記音声手段は、好ましくはスピーカー手段を含む。
【０１５９】
図３を参照すると、好ましい実施形態の次の項を理解することができるだろう。少なくとも一つのＥＧＣＭの形状を自在に作れることが好ましい。少なくとも一つのＥＧＣＭと連結できる固定式および／または可逆的取付手段の数は、限定されないことが好ましい。少なくとも一つのＥＧＣＭの形および／またはデザインは限定されないことが好ましい。取付手段が接続される少なくとも一つのＥＧＣＭの表面の数は、限定されないことが好ましい。少なくとも一つのＥＧＣＭの少なくとも一つの表面に接続できる取付手段の数は、限定されないことが好ましい。少なくとも一つのＥＧＣＭ（１ｄ）の好ましいＮＬＥは、図３の１３ａに示されている。前記ＥＧＣＭ（１ｄ）は三角形で、３辺それぞれに取付手段（６ａ、６ｂ、６ｃ）が接続されている。
【０１６０】
本発明の非限定的な好ましい取付手段は、少なくとも１枚の衣類部分を取付手段と実際に接続しなくてもよい衣類抑制手段によって、好ましくは少なくとも１枚の衣類の少なくとも一部が、少なくとも一つのＥＧＣＭに連結されるタイプ３可逆的取付手段を含む。
図３の１３ｂ、１３ｃは、前記タイプ３可逆的取付手段の好ましいＮＬＥを示す。少なくとも１枚の衣類１０ｆの少なくとも１部分は、好ましくは少なくとも一つの取付用容器８を含む少なくとも一つのＥＧＣＭ１ｅと好ましくは物理的に連結する。少なくとも１枚の
衣類１０ｇの少なくとも１部分は、好ましくは開放１１を含む（ＮＬＥとして、従来の技術によるボタンホール）。少なくとも一つの可逆的取付手段６ｄは、好ましくは少なくとも一つの開放１１を通じて、好ましくは前記取付手段６ｄの円筒形１２を、前記開放１１を通して挿入することにより、また好ましくは一時的に前記円筒形１２を、取付用容器８に接続することにより、組み込まれる。この配置の拡大図は１３ｂ、断面図は１３ｃを参照のこと。従来のＮＬＥでは、ＥＧＣＭ１ｅから外す際、取付手段６ｄが置き間違えられたり、紛失したりすることがままあった。このような置き間違えや紛失を防ぐため、取付手段を抑制する手段があることが好ましい。１３ｃは、糸１４ａが１４ｂで衣類の部分１０ｇと連結し、糸のもう一方の端は１４の所で取付手段６ｄと連結する、非限定的な手段を図示している。１３ｃのＮＬＥは、従来の技術のボタンとして使用できる。ＥＧＣＭ１ｅを通じて衣類の部分１０ｆに間接的に接続された取付手段６ｄは、前記衣類部分１０ｆと連結したボタンと考えられる。また、衣類部分１０ｇは、少なくとも一つのボタンで閉じられている従来の衣類の一部とみなしうる。衣類部分１０ｇは、好ましくはボタン（この場合は、取付手段６ｄ）がかかっているボタンホール１１をひっぱって手ではずすことができる。１３ｃで示されているように、ＮＬＥとして、少なくとも１枚の衣類が、好ましくはボタンとしての機能を少なくとも一部果たし、かつ本発明の機能をも少なくとも一部果たす取付手段の多様性を有する。
【０１６１】
本発明の非限定的な好ましい取付手段は、好ましくは、少なくとも１枚の衣類の少なくとも１部分が、好ましくは衣類の少なくとも一部の取付手段への物理的接続、また好ましくは衣類の少なくとも一つのＥＧＣＭの少なくとも一部への物理的接続を要することなく、衣類の抑制手段によって、少なくとも一つのＥＧＣＭと連結するよう、タイプ４可逆的取付手段を含む。
【０１６２】
タイプ４可逆的取付手段の好ましいＮＬＥは、図３の１３ｄに示されている。少なくとも１枚の衣類１０ｆの少なくとも１部分と、少なくとも１枚の衣類１０ｇの少なくとも１部分は、好ましくは開放１１ａを含む（ＮＬＥとして、従来の技術によるボタンホール）。少なくとも一つの可逆的取付手段６ｄは、好ましくは開放１１ａを通じて、好ましくは前記取付手段６ｄの円筒形１２を、前記開放１１ａを通して挿入することにより、また好ましくは一時的に前記円筒形１２を、ＥＧＣＭ１の取付用容器８に接続することにより、組み込まれる。前記ＥＧＣＭ１は、好ましくは衣類と物理的に連結しない。従来のＮＬＥでは、取付手段６ｄからはずすとき、ＥＧＣＭ１が置き間違えられたり、紛失したりすることがままあった。このような置き間違えや紛失を防ぐため、取付手段を抑制する手段があることが好ましい。１３ｄは、糸１５ａが１５ｂの所で衣類の部分１０ｆと対になり、糸のもう一方の端は１５の所でＥＧＣＭと連結する、非限定的な手段を図示している。１３ｄのＮＬＥは、従来の技術のボタンとして使用できる。
【０１６３】
前記可逆的取付手段の非限定的な実施形態が、プラスチック（好ましくは射出成型プラスチック）、ＧＣＦＭで説明されているように少なくとも一部が開ループとともに機能する円筒形手段を含むことが好ましい。
【０１６４】
少なくとも１枚の衣類の少なくとも一部の除去および／または取り外しが、少なくとも一つのＥＧＣＭの少なくとも一つの可逆的取付手段の接続解除によって行われることが好ましい。
【０１６５】
ＥＧＣＭで説明された手段の少なくとも一部が、少なくとも一つの可逆的取付手段（このＮＬＥは、６ａ、６ｂ、６ｃ、６ｄを含む）と対にできることが好ましい。ＮＬＥとしては、前記可逆的取付手段が好ましくは、電力手段、電子技術、電力および／または信号の伝導手段、機械手段（例えば推進手段、抑制手段）、再充電手段、の少なくとも一つを含む。
【０１６６】
図３−１３ｅ参考資料は、前記可逆的取付手段６ｅが、少なくとも一つのＥＧＣＭで説明されている手段の少なくとも一部を含む、実施形態のＮＬＥを示す。この例ではＮＬＥとして、先のＮＬＥの円筒形１２が、断面図内の三角形として表示されている。取付手段６ｅ端部９１は、好ましくは三角形１２の中央に沿っている軸８９の周りを好ましくは約９０度回転できる。１３ｅのＥＧＣＭ容器８を参照のこと。この実施形態では、容器８は好ましくは、三角形１２を受容するために、三角形の断面を有する。容器８は取り付け手段６ｅの回転可能な部品９１が回転するスペースを提供する拡張部分９４を有する。９１は所定の位置に達するまで回転し、好ましくは、元の場所に再び戻るまではずれない。この回転は、好ましくは本発明の手段によって実行される。回転手段のＮＬＥは、好ましくはシャフト９４を推進する少なくとも一つのＥＧＣＭのモーター９３および／または前記回転が好ましくは取付手段６ｅ内部のモーター８８による回転を含む。
【０１６７】
図４を参照すれば、好ましい実施形態の次の部分についての説明が理解できるだろう。少なくとも一つのＥＧＣＭが、好ましくは少なくとも一つの取付手段を通じて少なくとも一部がもう一つのＥＧＣＭと連結することが好ましい。さらに、前記少なくとも一つの取付手段の少なくとも一部が柔軟であることが好ましい。ＮＬＥは図４の１６ａに示されている通り。少なくとも一つの可逆的取付手段６ｆが、少なくとも柔軟点２１４を有することが好ましい。この柔軟点２１４が、少なくとも一つの軸のまわりの回転を含むことが好ましい（ＮＬＥとして、ｘ軸２１４ａおよび／またはｙ軸２１４ｂおよび／またはｚ軸２１４ｃの周り）。複数のＥＧＣＭを対にすることは、少なくとも一つの接合点が可逆性手段によらないよう、取付手段を含むことがある。少なくとも一つのＥＧＣＭ１ｂの機能構成図のＮＬＥは、図４−ブロック構成図４１の通り。ＥＧＣＭ１ｂの上部表面は６３と称される。内部を見せるため、上部が取り除かれている。少なくとも一つの可逆的取付手段６を収蔵しているＮＬＥの側面は、表面２０と称される。底部は６４である。好ましくは少なくとも一部はプラスチックでできているＥＧＣＭの内壁は３２と称される。少なくとも１枚の衣類１０ｂの少なくとも一部分が、可逆的取付手段６に接続されて表示されている。少なくとも１枚の衣類１０ａの少なくとも一部分は、固定式取付手段に接続されて表示されている。取付手段６は、この実施形態において好ましくは円筒形である。ブロック構成図４０の断面図で示されているとおり、この円筒形はわずかな非対称部分（例えば対となった長方形２１５）を持つことが好ましい。前記非対称部分は、前記取付手段６が取付用容器８に接続される際、正しく配置するための手段をＮＬＥにもたらす。取付用容器８が非対称部分を収蔵するための対応手段（図には非掲載）を持つことが好ましい。少なくとも一つの抑制手段３６が、好ましくは少なくとも一つの可逆的取付手段６の接続解除を防ぐために含まれることが好ましい。その好ましいやり方は、抑制手段３６を可逆的取付手段６のスロットおよび／または穴２１６に収めることである。少なくとも一つのＥＧＣＭが、少なくとも１枚の衣類および／または一つの取付手段を、ａ）ＥＧＣＭおよび／またはｂ）少なくとも１枚の衣類および／または一つの取付手段から、好ましくは開放の過程において、少なくとも一部を動かす推進手段を有することが好ましい。この推進手段２２のＮＬＥは、好ましくは容器８の端にあるコイル・バネを含む。取付手段６が容器８内に設置されると、前記推進手段２２のバネが圧縮することが好ましい。抑制手段３６と取付手段６との接触が断たれると、前記バネが好ましくは大幅に伸び、好ましくは前記容器８から取付手段６の少なくとも一部を押して、少なくとも一つの取付手段６との接続を解除することが好ましい。洗濯／クリーニングの過程でＥＧＣＭの少なくとも一つの電子／機械手段の少なくとも一部を保護する防水手段の好ましいＮＬＥの代表例は、水や洗剤から保護する軟性防水膜２１である。端面図は、図４−ブロック構成図４０の通り。この実施形態において前記防水膜は、少なくとも一つのＥＧＣＭの内部から、周囲と取付手段を好ましくは隔離する液嚢を形成して、少なくとも一つのＥＧＣＭの外壁２０に対して２１を密閉する。この防水膜は弾力性に富み、好ましくは取付手段６の挿入／解除を行う際に大きな摩擦を起こさないことが好ましい。
【０１６８】
少なくとも一つのＥＧＣＭが保持解除手段（ＲＲＭ）２３を含み、取付手段６の解除を妨げ、および／または損なっている位置からその取付手段６が解除できる位置まで、前記抑制手段３６を解除することが好ましい。
【０１６９】
少なくとも一つのＥＧＣＭが、少なくとも一つのＥＧＣＭから少なくとも一つの可逆的取付手段の接続を解除する手動解除手段３８を含むことが好ましい。この手動手段は、少なくとも一つの機械手段および／または電子手段と連結していることが好ましい。また、手動手段が、誤って起動されないよう保護することが好ましい。このような保護のＮＬＥは、好ましくは少なくとも一つのＥＧＣＭの筐体表面下部の前述手動手段を抑制することだ。
【０１７０】
前記取付手段６の解除を行うための前述ＲＲＭ２３の起動は、好ましくは少なくとも一つのＥＧＣＭと連結した制御手段２４から好ましくは送られる少なくとも一つの制御信号２５および／または電力信号２６に対応することが好ましい。
【０１７１】
少なくとも一つのＥＧＣＭが電源と連結することが好ましい。この電源は、移動および／または再充電が可能なことが好ましい。電源はバッテリー、蓄電器、光エネルギー（例えば太陽電池）であることが好ましい。前記電源は、前記ＥＧＣＭケースに内蔵されていることが好ましい。少なくとも一つのＥＧＣＭと連結した電源は、少なくとも一つの２番目のＥＧＣＭに電力を供給できることが好ましい。少なくとも一つの２番目のＥＧＣＭが、少なくとも一つの１番目のＥＧＣＭに連結した手段で電力を受け取ると、前記可逆的取付手段が電力および／または信号を送れるようになることが好ましい。
【０１７２】
電源２９のＮＬＥは、図４−ブロック構成図４１の通り。電源は好ましくはバッテリー（例えばニッケル水素、リチウム、再充電可能なリチウム）および／または蓄電器である。正極３１とアース端３０は、外部にアクセス可能なことが好ましい。ＮＬＥとしては、再充電できる。前記電源２９は制御手段２４と連結していることが好ましい。この連結は、好ましくはプラスのパワー・レール（および／またはサーキットトレース）と接地レール（および／またはサーキットトレース）を含む。
【０１７３】
少なくとも一つのＥＧＣＭが入力／出力手段３５を含み、好ましくは外部手段とともに制御手段２４と連結したデータ処理および／または記憶手段とインターフェース接続していることが好ましい。少なくとも一つの入力手段３４および／または少なくとも一つのＥＧＣＭと連結した少なくとも一つの制御手段に対応して、少なくとも一つの可逆的取付手段６が、確実に接続を解除するために好ましくは推進手段２２を使用して接続を解除することが好ましい。
【０１７４】
説明書の次の部分では、図５を参照するとよい。取付手段と抑制手段の好ましいＮＬＥを図５のブロック構成図６０ａに示した。取付手段６は、斜角５１、保持手段３６を図示する。３６は、形状が一致する斜角５２を含む。取付手段６が容器８に挿入されると、斜めになっている配列が挿入を容易にすることが好ましい。推進手段の好ましいＮＬＥは、コイル・バネ４７ａおよび／または、取付手段６ａが容器８に挿入されると伸長するレバーアーム５５である。
【０１７５】
二極分化するスロット６１と、それに対応する二極分化キー６１ａを含む取付手段６ｅを伴う容器８の好ましいＮＬＥは、図５−ブロック構成図６０ｂを参照のこと。図５−ブロック構成図６０ｃは、少なくとも一つのＥＧＣＭの保持解除手段（ＲＲＭ）を実行する好ましい手段のＮＬＥを示している。
【０１７６】
少なくとも一つの可逆的取付手段６を、元の位置に留めておくための保持手段３６を支援する、伸長手段７３があることが好ましい。このＮＬＥは、コイル・バネであろう。前記取付手段６が適切な位置にある場合、バネが少なくとも一部伸びて、好ましくは前記取付手段６を維持すべき位置で前記保持手段３６を押しながら支える。少なくとも一つの可逆的取付手段６を解除するには、好ましくは前記取付手段を解除する方向へと前記保持手段３６に力をかける必要がある。この力は、好ましくは伸長手段７３と、その他のあらゆる抵抗に抗しうる十分なものである。
【０１７７】
前記力のＮＬＥは、好ましくは以下の非限定的な動作の少なくとも一つによって適用できる。
【０１７８】
・好ましくは３６を保持するため、歯車６７とかみ合う歯車６６を含むモーターで動く歯車６５
・好ましくは磁気的引力を磁気手段７４（例えば鉄）に与えるためにつくられる電磁石７２、７４（例えば鉄）
・好ましくは前記ＥＧＣＭの防水を促進する軟性防水膜８０で密封された、柔軟性接続７８を好ましくは通じて、対の解除手段７１（例えばプラスチック棒）と好ましくは連結している少なくとも一つのＥＧＣＭ外部にあるハンドル７９を含む手動リリース手段。
【０１７９】
ハンドル７９を引っ張ることによって、前記力を適用できる。
・既存の技術は電流の作用によって形状を変化する変化手段７５についても、記述している。これによって縮めたり（例えばニチノール）伸ばしたりして、形状を変える。ここでの例７５は位置７７の保持手段３６とアンカー手段７６と連結している収縮手段７６で、好ましくは前記ＥＧＣＭの内部に連結される。７５を通じて電気の流れが、好ましくは保持手段３６に圧力をかけることによって変形手段７５を縮める。
【０１８０】
少なくとも一つの動作手段が接地／電力導体６８、６９を通じ電流によって起動されることが好ましい。これら導体は好ましくは制御手段２４と連結し、好ましくはこの制御手段２４と連結した手段でスイッチを切り替える。ＥＧＣＭケース内の６４を一時止めることによって手動リリースハンドル７９を保護する手段の好ましいＮＬＥを図５−ブロック構成図６０ｄに示した。ハンドル７９を適切な位置に保つために８１がスナップ式の留め金具であることが好ましい。マイクロスチームエンジン手段と呼ばれる前記動作手段の好ましいＮＬＥは図５−ブロック構成図６０ｅの通り。液体（例えば水）は好ましくは庫内８４に密閉される。電流は伝導手段８６を通じて送れることが好ましい。これによって好ましくは液体８５が熱せられ、押し出しピストン８２をシリンダー８３から引っ張る。ピストン８２は好ましくは保持手段３６に圧力をかけて取付手段の接続を解除し、好ましくは衣類の閉合を開放する。
【０１８１】
説明の次の部分は、図６を参照すると理解できるだろう。この図は取付手段６と容器８の詳細を示している。この好ましい例においては、防水手段４９は好ましくは保持手段の分野に限定される。ブロック構成図５０ａが示すとおり、取付手段６の接続が解除されると、推進手段２２は（好ましくはバネ４７の機動により）好ましくは保持手段３６が容器８に達するのを妨げる。ブロック構成図５０ｂが示すとおり、これによって好ましくは取付手段６が容器８に挿入できるようになる。取付手段６が挿入されると、保持手段３６は好ましくは取付手段６のソケット４５にはめ込まれる。防水手段４９はこの過程において好ましくは可逆的に変形し、ソケット４５に押し込まれる。
【０１８２】
説明の次の部分は、図７を参照すると理解できるだろう。図７−ブロック構成図３５では、入力手段は、制御手段２４が受け取り、および／または処理する外部から送られる信号の少なくとも一つを含む。前記外部から送られる信号は、ＮＬＥとして好ましくはａ）
押されるなどしてスイッチが入ると、好ましくは少なくとも一つの電気信号を制御手段２４に送るボタンのスイッチ１０１（例えば膜スイッチ）（１０１は好ましくはリセット機能を実行できる）、および／またはｂ）アンテナ９６を通じての高周波受信、および／またはｃ）好ましくは画像検知器１００による赤外線および／または光信号の受信、および／またはｄ）マイクロ波信号（例えば好ましくは内部アンテナによる）、および／またはｅ）オーディオ入力手段１０３による音波の受信、好ましい例はマイクロフォン、および／またはｆ）導体および／または光ファイバーによる電気信号を含む好ましい手段を伴う、少なくとも一つの連結された装飾手段および／または少なくとも一つのその他ＥＧＣＭからの入力信号１０７、の少なくとも一つを含む。
【０１８３】
図７−ブロック構成図３５での出力手段は、好ましくは制御手段２４が発信し、および／または処理する手段、そして好ましくは前記ＥＧＣＭの外部に転送する手段の少なくとも一つを含む。前記外部への転送手段は、ＮＬＥとして好ましくはａ）高周波トランスミッタ９７、および／またはｂ）赤外線ダイオード９８、および／またはｃ）視覚ＬＥＤ９９、および／またはｄ）音声発信手段１０２（好ましい例に、スピーカーと圧力手段がある）、および／またはｅ）導体や光ファイバーによる電気信号を含む好ましい手段を伴う、信号出力手段１０４および／またはパワー・レール１０５および／または接地レール１０６および／または連結された装飾手段の少なくとも一つに送られる手段および／または少なくとも一つのその他ＥＧＣＭ、の少なくとも一つを含む。
【０１８４】
高周波トランシーバーのＮＬＥは、好ましくはａ）ゼミックス社の超低消費電力ＣＭＯＳトランシーバー（このデバイス、ＸＥ１２０９のデータは参考資料に盛り込まれている）、ｂ）ブルー・トゥース、ｃ）Ｚｉｇｂｅｅ、ｄ）８０２．１１の少なくとも一つを含む。
【０１８５】
少なくとも一つのＥＧＣＭと連結した記憶手段が、ａ）ＩＤ手段。少なくとも一つのＥＧＣＭを認証する手段があることが好ましい。ＮＬＥは、以下のデジタルＩＤ手段の少なくとも一つを含む。ａ）前記ＥＧＣＭ特有の手段、および／またはｂ）ＥＧＣＭのグループ特有の手段。製造後、少なくとも一つのデジタルＩＤを（モデルや第三者によって）変更できることが好ましい。前記ＩＤ手段に関する情報を読み込んだり取得できたりする手段が少なくとも一つあることが好ましい。この読み込みは、好ましくは前記ＥＧＣＭ内外の手段による。ここで言う「外」は、好ましくは少なくとも一つのＰＣＣＭおよび／または遠隔手段を含む。前記「グループ特有」とは、少なくとも１枚の衣類および／または前記モデルが所有する衣類に連結したＥＧＣＭの少なくとも一部であることが好ましい。
【０１８６】
・前記ＩＤ手段がフラッシュメモリに保存されることが好ましい。ＭＥＧＣＭが固有のＩＤ手段と、制御可能なＳＥＧＭのＩＤ手段を含むことが好ましい。
【０１８７】
ｂ）衣類と連結したイメージマップ。前記ＥＧＣＭと連結した衣類の画像（例えばＪＰＥＧで保存された画像）が前記メモリに保存されることが好ましい。さまざまな角度から前記衣類を見せられるように十分な情報が保存されることが好ましい。ＵＣＤＰＭ上で前記衣類が三次元で構成できるように十分な情報が保存されることが好ましい。ＵＣＤＰＭ上に三次元で構成された衣類を回転させられるように十分な情報が保存されることが好ましい。前記衣類と連結した少なくとも一つのＥＧＣＭの位置が、前記画像上に表示されることが好ましい。前記連結したＥＧＣＭの少なくとも一つのＩＤ手段が画像上に表示されることが好ましい。
【０１８８】
少なくとも一つのＩＧＣＭが、情報（例えばデジタルデータおよび／またはプログラム）を前記ＥＧＣＭから読み込んだり、および／またはそのＥＧＣＭに書き込んだりすることができる手段と連結されることが好ましい。その好ましい手段は、少なくとも一つのＰ
ＣＣＭによって読み込まれたり書き込まれたりした前記データを保有することだ。ＮＬＥとして好ましい方法は、少なくとも一つのＥＧＣＭが、ユニットのスイッチを入れた後および／またはリセットした後に、外部からの信号（例えばＰＣＣＭからの高周波および／または赤外線）を待つ間、待機モードに入るようにすることだ。このＥＧＣＭが機動コードを受け取ると、好ましくはＥＧＣＭが機動コードを受け取ると、今後の動作について指示を出すＥＧＣＭリフレッシュコマンドを待つモードに入る（好ましくはタイムアウト手段とともに）。ＮＬＥとしては、このＥＧＣＭリフレッシュコマンドが好ましくは前記ＥＧＣＭが、ａ）ＥＧＣＭ内の実時間時計手段（ＲＴＣＭ）に保存されたデータを提供する、ｂ）このＲＴＣＭのためにデータを新たに受け入れる、ｃ）前記ＥＧＣＭに保存された少なくとも一つのＩＤ手段を提供し、好ましくは外部からのコマンドに呼応して情報を順次提供し、好ましくはこのＩＤ手段と一致するＥＧＣＭと連結したＬＥＤを点灯する、ｄ）少なくとも一つのＩＤ手段を受け入れ、それを、連結したＥＧＣＭの少なくとも一つに保存する。好ましくは外部からのコマンドに呼応して順次この情報を受け取り、好ましくは前記入力ＩＤ手段に割り当てられたＥＧＣＭと連結したＬＥＤを点灯する、ｆ）少なくとも一部のデータおよび／または保存されたプログラムを、外部手段（ＰＣＣＭ）に提供する、ｇ）外部手段からのデータおよび／またはプログラムを受け取り、保存する、ｈ）前記イメージマップ手段の少なくとも一部を外部手段に転送する、ｉ）外部手段から、イメージマップ手段の少なくとも一部を受け取り、および／または保存する、といった動作の少なくとも一つを実行する。
【０１８９】
前記ＥＧＣＭが少なくとも一つの実時間時計および／またはカレンダー手段１２７と連結することが好ましい。この実時間時計手段に電力を供給する手段があれば好ましい。同実時間時計手段のコンテンツを読み込む手段があれば好ましい。同実時間時計手段のコンテンツを変更する手段があれば好ましい。
【０１９０】
少なくとも一つのＥＧＣＭが制限手段と連結し、少なくとも一つの極限手段（ＥＬＭ）が機動されたり、および／または有効にされたりするまで、この制限手段がＮＬＥとして好ましくは少なくとも一つのＥＧＣＭの解除を防止および／または制限および／または制御および／または条件付けできることが好ましい。前記ＥＬＭが、前記ＥＧＣＭと連結すれば好ましい。前記制限手段および／またはＥＬＭが、少なくとも一つのＰＣＣＭと連結すれば好ましい。
【０１９１】
少なくとも一つのＥＧＣＭがメモリ保存手段を含むと好ましい。このＮＬＥは、好ましくはフラッシュメモリ１３１、ＲＡＭ１３０、バッテリー付きＲＡＭ１２９、ＥＥＰＲＯＭ（図には非掲載）、ＤＲＡＭ１３２の少なくとも一つを含む。制御手段２４は好ましくはマイクロプロセッサ手段を含む。
【０１９２】
手動リリース手段が機動すると、それを感知する手段１３５があると好ましい。ＮＬＥとしては、これが少なくとも一つのＥＧＣＭおよび／またはＰＣＣＭを起動し、可聴および／または視覚反応（例えば単語‘ｊｅｒｋ’）を出力する。この動作を行う非限定的な理由は、前記遠隔手段を用いて、接続解除を促進するためである。
【０１９３】
抑制手段が限界に達すると、それを感知するリミット感知手段１３４があると好ましい（１３４は、好ましくは動作手段の電力供給を断つ）。
【０１９４】
ＮＬＥとして、少なくとも一つのＥＬＭリセット手段が、前記ＥＬＭを閉鎖および／または無効化および／またはリセットおよび／またはセットできれば好ましい。前記ＥＬＭリセット手段は、好ましくは前記ＥＧＣＭと対になり、好ましくはそのＥＧＣＭと連結した、および／または遠隔手段でつながった手段によって機動されれば好ましい。
【０１９５】
図８では、衣類と連結したＥＧＣＭの好ましいＮＬＥを説明する。モデル２５０ａをＰＣＣＭ２００とともに示した。示されている衣類は、好ましくはバラエティに富んだ形で構成された複数のＥＧＣＭの少なくとも一部で好ましくは作られたイブニングドレスである。少なくとも一つのＥＧＣＭがＭＥＧＣＭであり、少なくとも一つのＥＧＣＭがＳＥＧＣＭであれば好ましい。取付手段５１０は好ましくは接続手段と、電力および／または信号をやりとりする少なくとも一部の伝導手段を形成する。前記ＥＧＣＭ５０５と接続手段５１０は、好ましくは前記ドレスの少なくとも一部の布で、不可欠な部分を形成する。前記接続手段は、好ましくは本発明で記述される手段によって、接続が解除される。
【０１９６】
モデル２５０ｂでは、ランジェリーおよび／または水着の好ましい組み合わせを示している。ブラジャー２９０は、好ましくは右の乳首部分（５０１）および／または左の乳首部分（５００）にフラップがついている。このフラップが、それぞれのフラップに連結した三つのＥＧＭのうち少なくとも一つの開放によって開かれることが、好ましい。ブラジャー２９０は、好ましくはＭＥＧＣＭ２５７とＳＥＧＣＭ２６８、２７３を含む。このブラジャーは、好ましくは後部で（図には非掲載）少なくとも一つのＥＧＣＭと連結し、衣類の自動除去を実行する。パンティー２９１は好ましくはＭＥＧＣＭ２５６と前部フラップ２９１ａを含み、好ましくはＳＥＧＣＭ２６４ｂ、２６４ｃ、２６４ｂの開放によって２９１ａが開く。ＭＥＧＣＭ２５６および／または
ＳＥＧＣＭ２６４ａが開放されるとパンティーが下に落ちることが好ましい。パンティーの後部（非掲載）に前部フラップ２９１ａと同様のフラップがあると好ましい。
【０１９７】
図９では、個人用衣類留め手段（ＰＣＣＭ）２００の好ましい実施形態を説明した。
ＰＣＣＭ（２００）がモジュラーで設計されており、前記ＰＣＣＭに関して説明されている手段の少なくとも一部を製造および／または販売後に付加できると好ましい。このＰＣＣＭは、モデルが身に付けやすいよう、好ましくはモデルへの接続手段４０５を含む。少なくとも一部が射出成型プラスチックで作られていると好ましい。少なくとも一つのコマンドが少なくとも一つのスイッチ手段４０７を使って前記ＰＣＣＭに入力されることが好ましい。少なくとも一つのスイッチ手段が、リセット手段であることが好ましい。少なくとも一つのコマンドが、前記マイクロフォン機能４０６で入力できることが好ましい。コマンドメニューは、ディスプレイ手段２４１および／またはスピーカー手段２４１を使った音声バージョンの使用を通じてスクロールできると好ましい。少なくとも一つのＰＣＣＭ２００は、好ましくはＧＰＳ手段２４４および／または実時間時計手段２４１を含む。前記ＰＣＣＭは、好ましくは外部手段とのコミュニケーション手段を少なくとも一つ含む。好ましいＮＬＥは、高周波手段２６５（例えば４１０ブルー・トゥース（４１１）、８０２．１１（４１２）、Ｚｉｇｂｅｅ４１２、ガレージ遠隔制御手段４１３）および／または赤外線手段の少なくとも一つを含む。この赤外線手段のＮＬＥは、好ましくはテレビＲＭＣ  ＩＲ（４００）および／またはＩｒＤａ４０１のいずれかを含む。前記ＰＣＣＭは、好ましくはＩＤ手段４１７（好ましくは特有のもの）を含む。前記ＰＣＣＭは、好ましくはＣＰＵとメモリ記憶手段を含む。前記ＰＣＣＭは好ましくは少なくとも一つのＥＧＣＭの一時中断スイッチを機動する手段（例えばＰＣＣＭ端部の突出した機械２４４）を含む。少なくとも一つのＰＣＣＭが、本発明説明書のその他の部分に出てくる手段の少なくとも一つを含むことが好ましい。前記ＰＣＣＭ２００は、好ましくはＤＳＰ手段を含み、好ましくは音声認識および／または画像処理を支援できる。少なくとも一つのＰＣＣＭは、好ましくはこの明細書で説明されているその他の手段とのインターフェース機能の少なくとも一つを支援できる。前記ＰＣＣＭは、好ましくはデータおよび／またはこの説明書で記述された機能を実行するプログラムを含む。
【０１９８】
少なくとも一つのＰＣＣＭ（４００）が、テレビのリモコンユニットおよび／またはＡＶ制御手段で一般的に使用されている高周波数の感知手段を備えていれば好ましい。好ましい実施形態の一つは、オペレーター（例えばモデルのボーイフレンド／ガールフレンド
、および／またはモデル）がテレビ（および／またはその他ＡＶ）のリモコンを使って、前記ＰＣＣＭと連結した少なくとも一つのＥＧＣＭを離れた場所から開けるようにするというものだ。
【０１９９】
本発明は、少なくとも一つの閉合が、好ましくは少なくとも一つのコマンドおよび／または、遠隔手段からターゲット手段に送られた少なくとも一つの文字列情報手段（ＩＴＳＭ）として送信されたその他の情報に少なくとも一部対応する自動手段によって開放されることを可能とする。このターゲット手段のＮＬＥは、好ましくは少なくとも一つのＥＧＣＭおよび／またはＰＣＣＭを含む。前記遠隔手段のＮＬＥは、好ましくは遠隔脱衣手段（ＲＵＭ）を含む。
【０２００】
前記ＩＴＳＭは、好ましくはアルファおよび／または数字記号を含む。この記号は、好ましくはＡＳＣＩＩでコード化されている。前記ＩＴＳＭには、好ましくはヘッダー（例えば＠＃＄％）と終了シーケンス（例えば％＄＃＠）がある。本発明は、好ましくは前記ＩＴＳＭが本発明の手段とともに好ましくは使用できる単語および／またはフレーズを好ましくは含む標準化テキスト・ライブラリ（ＳＴＬ）から少なくとも一部で構成されるようにする。ＮＬＥとしては、英数字、ｙｅｓ、ｎｏ、ｏｐｅｎ、ＰＩＣＭ、ｂｒａ、ｃｕｐ、ｐａｎｔｉｅｓ、ｕｎｄｅｒｐａｎｔｓ、‘ｎｅｘｔ  ｃｌｏｓｕｒｅ’、‘ｓｋｉｐ  ｃｌｏｓｕｒｅ’、‘ｓｋｉｐ  ｂａｃｋ’、ｕｎｄｏ、ｎｉｐｐｌｅ  ｆｌａｐ、ｐｕｂｉｃ  ｆｌａｐ、ｒｅａｒ  ｆｌａｐ、ｔｏｐ、ｂｏｔｔｏｍ、ｌｅｆｔ、ｒｉｇｈｔ、ｃｅｎｔｒａｌ、ｃｌｏｓｕｒｅ、ｓｅｌｅｃｔｉｏｎ  ｏｆ  ｃｏｌｏｕｒｓ、ｄｉａｍｏｎｄｓ、ｈｅａｒｔｓ、ｐｅａｒｌ、ｃｌｕｂｓ、ｓｐａｄｅｓ、‘Ｉ  Ｌｏｖｅ  Ｙｏｕ’、‘ｇａｍｅ  ｍｏｄｅ’、‘ｐａｒｔｙ  ｍｏｄｅ’の一部を含むことができる。ターゲット手段（ＮＬＥとして、少なくとも一つのＥＧＣＭおよび／または少なくとも一つのＰＣＣＭ）が前記ＳＴＬの少なくとも一部を含み、および／またはプログラムできると好ましい。前記ターゲット手段と連結した前記ＳＴＬが編集および／または更新できることが好ましい。前記ＳＴＬのコンテンツが、少なくとも一社の公認プロバイダの管理下に置かれると好ましい。
【０２０１】
前記ＩＴＳＭのＮＬＥは、好ましくはポジション記述手段および／または記号記述手段および／またはパルス数記述手段の少なくとも一つを含む。
【０２０２】
以下のＮＬＥはＩＴＳＭ使用に関しての説明である。モデルが、左の乳首部分を覆っているフラップを備えたブラジャーを着用している。このフラップは、好ましくは少なくとも一つのＥＧＣＭによって、適切な位置に保たれている。当該ＥＧＣＭは、当該フラップの左上隅に設置され、ピンク色のハート二つを含む装飾手段と連結している。また、ＰＩＣＭ数値３を出力する。ポジション記述手段のＮＬＥは‘ｕｎｄｏ  ｔｏｐ  ｌｅｆｔ  ｃｌｏｓｕｒｅ  ｌｅｆｔ  ｎｉｐｐｌｅ  ｆｌａｐ’、記号記述手段のＮＬＥは‘ｏｐｅｎ  ｔｗｏ  ｐｉｎｋ  ｈｅａｒｔｓ’であり、前の例に比べるとよりロマンチックだ。パルス数記述手段のＮＬＥは‘ｏｐｅｎ  ＰＩＣＭ  ｔｈｒｅｅ’となろう。
【０２０３】
少なくとも一つのターゲット手段は以下を含み、および／または以下と連結する。
・前記標準化テキスト・ライブラリ（ＳＴＬ）の少なくとも一部、および／または
・前記ターゲット手段が操作可能な自動留め手段の少なくとも一つのデータベース（好ましくは直接的あるいは間接的に）、また好ましくは
・自動留め手段の少なくとも一つに関連したポジション記述手段および／または記号記述手段および／またはパルス数記述手段（記述手段と総称）、また好ましくは
・ＥＧＣＭのＩＤコードおよび／または前記自動留め手段の少なくとも一つのサブコード、また好ましくは
・前記記述手段を前記ＥＧＣＭのＩＤコードおよび／またはサブコードと相互参照する
機能、また好ましくは
・遠隔手段から送られてきた記述手段を解析し、送られてきた情報がターゲット手段データベースに保存されている情報を一致するかどうかを判断する手段、
・少なくとも一つの留め手段を開放する権限に対し、アクセス制限手段が適用できるかどうかを判断する手段、
・少なくとも一つの留め手段の開放を実施する手段。
【０２０４】
前記ＩＴＳＭがカスタム・テキスト・ライブラリ（ＣＴＬ）の少なくとも一部で構築されると好ましい。このＣＴＬが、カスタム・テキスト記述コマンドをＳＴＬテキスト記述コマンドと相互参照する参照テーブルを備えることが好ましい。例えば、モデルは前例（ピンクのハート二つ）のＥＧＣＭを‘ｍａｇｉｃ  ｌｏｖｅ  ｂｕｔｔｏｎ’と参照したいかもしれない。その際は、前記参照テーブルが‘ｍａｇｉｃ  ｌｏｖｅ  ｂｕｔｔｏｎ’をＳＴＬが作成したフレーズ‘ｔｗｏ  ｐｉｎｋ  ｈｅａｒｔｓ’と相互参照することが好ましい。
【０２０５】
・前記ＣＴＬに少なくとも一つ質問が設定され、第三者が少なくとも一つの自動留め手段を開放するアクセスを得るには、その質問に答えなくてはいけないようにすることが好ましい。
【０２０６】
・前記ＣＴＬが前記少なくとも一つの質問に対して、少なくとも一つの答えを設定しておくことが好ましい。
【０２０７】
・前記ＣＴＬは、好ましくはＰＣで作成および／または編集され、および／またはインターネットからテンプレートの少なくとも一部をダウンロードされる。いったん作成されたＣＴＬは好ましくは少なくとも一つのターゲット手段にコピーされる。本発明は好ましくはユーザーが制御するデータ処理手段（ＵＣＤＰＭ）から本発明のターゲット手段へのＣＴＬの少なくとも一部をコピーする手段を備える。本発明は好ましくは前記ターゲット手段からＵＣＤＰＭに、少なくとも一部のＣＴＬを編集のために転送する手段を備える。
【０２０８】
少なくとも一つのＰＣＣＭは、好ましくはＮＬＥとしてマイクロフォン入力手段を有し、好ましくは音声コマンドを受け入れて前記ＰＣＣＭの制御のもと、衣類と連結した閉合の少なくとも一つを開く自動手段を実行する。少なくとも一つのＰＣＣＭが音声コマンドを受け入れ、前記ＰＣＣＭ（例えばメニューの選択、ＮＬＥとしてのデータ転送）で少なくとも一つのユーティリティ操作を実行できることが好ましい。前記ＰＣＣＭに、音声コマンド（および／またはその他の情報）を発するであろう人のうち少なくとも１人の音声ライブラリを搭載する手段があると好ましい。この音声ライブラリは好ましくはデジタル化された言語を含む。本発明の手段で一般的に使われる単語および／または熟語を含む標準化音声ライブラリ（ＳＶＬ）があると好ましい。このＳＶＬは、好ましくは標準化テキスト・ライブラリの少なくとも一部を含む。好ましいＮＬＥは、少なくとも１人のオペレーターが（好ましくはＵＣＤＰの支援を受けて）少なくとも一つの遠隔手段２４７において個人ＳＶＬの少なくとも一部を作成および／または保存し、少なくとも一つのＰＣＣＭにその個人ＳＶＬを転送するためのものである。そのＰＣＣＭは、好ましくは保存された個人ＳＶＬの少なくとも一つを参照し、その後送られてきた音声手段と比較する。個人ＳＶＬを用意する際の好ましいＮＬＥは、標準化テキスト・ライブラリの少なくとも一部を表示するＵＣＤＰＭ（好ましくはインターネットからの支援を含む）上にコンピュータ・プログラムを書き、ユーザーに、前記ＵＣＤＰと連結したマイクロフォン手段に向かって話すよう求めると、前記ＳＴＬから単語および／または熟語が表示されるというものである。この処理を行った結果は、好ましくは少なくとも一つのＰＣＣＭおよび／またはＲＵＭに転送される。本発明は、好ましくはカスタマイズされた音声ライブラリ（ＣＶＬ）が使用でき、ＳＶＬで述べたのと同様に、個人ＣＶＬの適用および／または準備もできる。
このＣＶＬは、好ましくは少なくとも一つのカスタム・テキスト・ライブラリの少なくとも一部を示すデジタル化された言語を含む。本発明は好ましくは少なくとも一つのＰＣＣＭがデジタル化されたフォーマット（例えば少なくとも一つのＲＵＭによってあらかじめ処理された音声コマンド）の少なくとも一部で音声コマンドを受け取れるようにする。この処理が、デジタル化フォーマットの少なくとも一部がすでに実行されている場合を例外として、直接送られてきた音声として行われることが好ましい。
【０２０９】
ＰＣＣＭは好ましくは前記テレビのリモコン手段から送られたデータを処理し、送られてきたパスワードが有効かどうか、もし有効だとしてもその後の遠隔コマンドを認めるべきかどうかを判断する手段（例えばＣＰＵ（２１０））を備える。前記ＣＰＵ（２１０）は、好ましくはフラッシュメモリ（２１１）のような不揮発性メモリ保存手段と連結する。
【０２１０】
ＰＣＣＭは好ましくは少なくとも一つの閉合を開放するためのコマンド（例えば前記テレビのリモコン手段の数字コードおよび／またはチャンネルボタンの上下矢印）を受信する手段、好ましくは受信した情報を処理する手段と好ましくは少なくとも一つの閉合を開放する適切なＥＧＣＭにコマンドを送る手段、を備える。
【０２１１】
本発明は、好ましくは貴金属および／または半貴金属および／または貴石および／または半貴石を、少なくとも一つのＥＧＣＭおよび／またはＰＣＣＭと対にできるようにする。
【０２１２】
少なくとも一つのＵＣＤＰＭが好ましくはインターネットと連動して、閉合を開放する手順をプログラムし、および／またはこの開放に制限を設けることができれば好ましい。その好ましいやり方は、連結しているＥＧＣＭから少なくとも一つのＰＣＣＭを使って少なくとも１枚の衣類の画像を取り込んで、そのデータを読み込み、前記ＵＣＤＰＭに転送する。その画像は好ましくはディスプレイされ、好ましくは回転できる。前記衣類と連結したＥＧＣＭは、好ましくは表示される。少なくとも一つのＥＧＣＭが好ましくはメニュー手段と対になって表示され、好ましくは少なくとも一つの制限が適用される。この制限のＮＬＥはａ）開放の時刻、ｂ）開放の地理的位置、ｃ）オペレーターからの開放許可、ｄ）開放を生じさせる回数（例えば閉合を少なくとも１回開放する前に、’ｓｔｒｉｐ  ｙｏｕｒ  ｂｏｏｔｉｅｓ’というフレーズを曲中で５回歌わなくてはならない）、のうち少なくとも一つを含む。実際の制御の少なくとも一部は、好ましくは前記ＥＧＣＭと連結した少なくとも一つのＰＣＣＭによる。前記ＵＣＤＰＭ上に衣類の開放が適切にプログラムされると、これに伴う制御情報が好ましくは少なくとも一つのＰＣＣＭに転送される。少なくとも一つのＵＣＤＰＭおよび／またはインターネット接続が使用され、少なくとも一つのＥＧＣＭに後に転送するための衣類の画像が生成されることが好ましい。
【０２１３】
形状のバリエーションや仕様書の記載は、あくまでも本発明を説明する目的でなされたものであり、本技術に精通すればより多くのバリエーションを考案しうることをご理解いただきたい。本発明の具体例や図解についても同様であり、この発明の精神と範囲においてその他の実施形態がおのずと浮かんでくるであろう。
【産業上の利用可能性】
【０２１４】
本発明は、遠隔制御手段に対応して自動的に脱衣する衣類などを実現した。
【図面の簡単な説明】
【０２１５】
【図１】本発明に係る好ましい実施形態の説明図である。
【図２】本発明に係るＥＧＣＭの好ましい非限定的な実施形態を示す図である。
【図３】本発明の好ましい実施形態を示す図である。
【図４】本発明のブロック構成図である。
【図５】本発明のブロック構成図である。
【図６】本発明のブロック構成図である。
【図７】本発明のブロック構成図である。
【図８】本発明に係る衣類と連結したＥＧＣＭの好ましいＮＬＥの説明図である。
【図９】本発明に係る個人用衣類留め手段の好ましい実施形態の説明図である。
【符号の説明】
【０２１６】
２００：個人用衣類留め手段（ＰＣＣＭ）
２４２：パーティー管理手段
２４３：ゲーム進行観察手段
２４７：ＲＵＭ
２４９：オペレータ
２５０：モデル
２５６，２５７：衣類
２５７：留め手段
２６５：ワイヤレス手段
２８０：ＷＡＮ
２８１：ＰＣ手段
２８３：実時間時計手段
２９０：ブラジャー
２９１：パンティー
２９２：リモコン手段
【図１】
2005531344.tif 000003
【図２】
2005531344.tif 000004
【図３】
2005531344.tif 000005
【図４】
2005531344.tif 000006
【図５】
2005531344.tif 000007
【図６】
2005531344.tif 000008
【図７】
2005531344.tif 000009
【図８】
2005531344.tif 000010
【図９】
2005531344.tif 000011
【国際調査報告】
2005531344.tif 000012
2005531344.tif 000013
2005531344.tif 000014